(57)【要約】  幾つかの実施形態は、少なくとも１つのプロセッサとデータ通信する非一時的コンピュータ可読媒体を含む、患者への医療の提供を集約し、追跡するためのシステム及びコンピュータ実装された方法を含み、非一時的コンピュータ可読媒体は、医療サービス追跡システム及び方法に対するソフトウェア命令を含む。ソフトウェア命令の実行時に、患者データベース又はサーバからの情報が受信され、医療記録ダッシュボードに表示されることが出来る。ユーザは、情報に対する閲覧及び編集アクセスをすることができ、ユーザ選択可能なリンクは、医療記録情報を表示することが出来る。システムと方法は、少なくとも一人の患者に以前に提供された、又は、実行された少なくとも１つの医療サービス又は医療処置についての、外科医によって行われた少なくとも１つの請求又は署名された費用請求の少なくとも一部に基づいて、医療データ入力フィールドの自動埋め込みを可能とする。【選択図】図１３
2017510015.tif 000002
【特許請求の範囲】
【請求項１】
患者への医療提供を集約し、追跡するためのシステムであって、
少なくとも１つのプロセッサとデータ通信する非一時的コンピュータ可読媒体であって、医療サービス追跡システム及び方法を含むソフトウェア命令を含む、非一時的コンピュータ可読媒体と、
少なくとも１つの患者データベース又はサーバから、患者に関する情報をリンクし、これを受信し、
前記少なくとも１つの患者データベースから受信される、又は、導出される情報を含む、少なくとも１つの医療記録ダッシュボードを表示し、
少なくとも１つの医療データ入力フィールドを含む、前記少なくとも１つの医療記録ダッシュボードの１つ以上のウィンドウ内に患者情報を表示し、
前記少なくとも１つの医療データ入力フィールドへの閲覧アクセスと編集アクセスをユーザに提供し、
前記少なくとも１つの医療データ入力フィールドのうちの任意の１つは、医療記録表示へのユーザ選択可能なリンクを含むことができ、前記医療記録表示は、前記少なくとも１つの医療記録ダッシュボードへのユーザ選択可能なトグルを含み、
少なくとも一人の患者へ以前に提供された、又は、実行された、少なくとも１つの医療サービス又は医療処置について、外科医によって行われた請求又は署名された費用請求の少なくとも１つのうちの少なくとも一部に基づいて、前記少なくとも１つの医療データ入力フィールドを自動的に埋めること、
を実行させるソフトウェア命令を実行するように構成された１つ以上のプロセッサと、
を備えるシステム。
【請求項２】
前記１つ以上のプロセッサは、少なくとも１つの電子医療記録システムへダイナミックにリンクするように構成されている、請求項１に記載のシステム。
【請求項３】
前記１つ以上のプロセッサは、
ユーザにより指示されるとおり、前記電子医療記録システムのユーザインタフェースから、前記医療サービス追跡システム及び方法を起動するように構成される、請求項２に記載のシステム。
【請求項４】
前記１つ以上のプロセッサは、前記医療サービス追跡システム及び方法によって生成される少なくとも１つの表示と、前記電子医療記録システムによって生成される１つ以上の表示との間を切り替えるように構成される、請求項１に記載のシステム。
【請求項５】
前記閲覧及び編集アクセスは、少なくとも１つの医療診断に基づいて、少なくとも１つの医療データフィールドを更新し、又は、マーク付けするオプションをユーザに提供することを含む、請求項１に記載のシステム。
【請求項６】
前記更新し、又は、マーク付けすることは、悪化したという診断、安定しているという診断、又は、改善しているという診断のうちの少なくとも１つを表す図であるアイコンを含む、請求項５に記載のシステム。
【請求項７】
前記アイコンは、費用請求された項目、費用請求していない項目、及び、報告又は解釈が必要なテストのうちの少なくとも１つの視覚表現を提供する、色又はグラフィックの変更を含む、請求項６に記載のシステム。
【請求項８】
前記１つ以上のプロセッサは、前記医療記録表示内の少なくとも１つのユーザ選択可能な医療記録を表示するように構成される、請求項１に記載のシステム。
【請求項９】
前記少なくとも１つのユーザ選択可能な医療記録は、少なくとも１つのテスト結果又は診断を含む、請求項８に記載のシステム。
【請求項１０】
前記少なくとも１つのユーザ選択可能な医療記録は、任意の現在の医療用語コード（「ＣＰＴコード」）又は、疾病の任意の国際分類コード、バージョン９もしくはバージョン１０（「ＩＣＤコード」）からの少なくとも１つのテスト結果又は診断を含む、請求項８に記載のシステム。
【請求項１１】
前記少なくとも１つのテスト結果、又は、診断は、光干渉断層撮影（「ＯＣＴ」）、又は蛍光眼底造影法（「ＦＡ」）、及び／又は、インドシアニン・グリーンじゅう毛膜血管造影（「ＩＣＧ」）、及び患者の目の写真画像のうちの少なくとも１つを含む、請求項９に記載のシステム。
【請求項１２】
少なくとも一人の患者に以前提供された、又は、実行された、継続中又は費用請求されていない医療サービス又は医療処置の少なくとも一部に基づいて、前記少なくとも１つの医療データ入力フィールドを自動的に埋めるように構成されている前記１つ以上のプロセッサをさらに含む、請求項１に記載のシステム。
【請求項１３】
前記少なくとも１つの患者データベースは、医療提供者からの患者情報を含む、請求項１に記載のシステム。
【請求項１４】
前記患者情報は、ケア文書又はプロアクティブケアフォームの推移から受信される、又は、導出される情報を含む、請求項１に記載のシステム。
【請求項１５】
前記患者情報は、ダイレクトメッセージから受信される、又は、導出される情報を含む、請求項１に記載のシステム。
【請求項１６】
少なくとも１つのプロセッサとデータ通信する非一時的コンピュータ可読媒体を含む、患者への医療サービスの提供を集約し、追跡するためのシステムを提供することであって、前記非一時的コンピュータ可読媒体は、医療サービス追跡システム及び方法を含む、ソフトウェア命令を含む、ことと、
少なくとも１つの患者データベース又はサーバから患者関連の情報を受信することと、
少なくとも１つの医療サービス又は医療処置、少なくとも１つの医療サービス又は医療処置について、外科医によって行われた少なくとも１つの請求又は署名された費用請求、及び少なくとも１つの患者医療記録の表示された集合を含む、少なくとも１つの医療記録ダッシュボードを表示することと、
前記少なくとも１つの医療記録ダッシュボードの、少なくとも１つの医療データ入力フィールドを含む、１つ以上のウィンドウ内に患者情報を表示することと、
前記少なくとも１つの医療データ入力フィールドへの閲覧及び編集アクセスをユーザに提供することと、
前記少なくとも１つの医療データ入力フィールドのうちの任意の１つは、医療記録表示へのユーザ選択可能なリンクを含むことができ、前記医療記録表示は、前記少なくとも１つの医療記録ダッシュボードへのユーザ選択可能なトグルを含むことと、
少なくとも一人の患者に以前に提供された、又は、実行された少なくとも１つの医療サービス又は医療処置について、外科医によって行われた少なくとも１つの請求又は署名された費用請求の少なくとも一部に基づいて、前記少なくとも１つの医療データ入力フィールドを自動的に埋めることと、
を含む、前記医療サービス追跡システム及び方法を実行する前記ソフトウェア命令を実行するように構成された１つ以上のプロセッサと、
を含む、
コンピュータ実装された医療サービス方法。
【請求項１７】
前記１つ以上のプロセッサは、
前記医療サービス追跡システム及び方法によって生成された少なくとも１つの表示と、電子医療記録システムによって生成された１つ以上の表示との間を切り替えるように構成される、
請求項１６に記載のコンピュータ実装された方法。
【請求項１８】
前記閲覧及び編集アクセスは、少なくとも１つの医療診断に基づいて、少なくとも１つの医療データフィールドを更新し、又は、マーク付けするオプションをユーザに提供することを含む、請求項１６に記載のコンピュータ実装された方法。
【請求項１９】
前記更新し、又は、マーク付けすることは、悪化しているという診断、安定しているという診断、又は、改善しているという診断のうちの少なくとも１つの表現を図示するアイコンを含む、請求項１６に記載のコンピュータ実装された方法。
【請求項２０】
前記アイコンは、費用請求された項目、費用請求されていない項目、及び、報告もしくは解釈が必要なテストのうちの少なくとも１つの視覚表現を提供する、色又はグラフィックの変更を含む、請求項１９に記載のコンピュータ実装された方法。
【請求項２１】
前記１つ以上のプロセッサは、前記医療記録表示において、少なくとも１つのユーザ選択可能な医療記録を表示するように構成される、請求項１６に記載のコンピュータ実装された方法。
【請求項２２】
少なくとも一人の患者に、以前に提供された、又は、実行された、継続中の、又は、費用請求されていない医療サービス、又は、医療処置に少なくとも部分的に基づいて、前記少なくとも１つの医療データ入力フィールドを自動的に埋めるように構成された前記１つ以上のプロセッサを更に含む、請求項１６に記載のコンピュータ実装された方法。
【請求項２３】
前記少なくとも１つの患者データベースは、医療提供者からの患者情報を含む、請求項１６に記載のコンピュータ実装された方法。
【請求項２４】
前記患者情報は、ケア文書、プロアクティブケアフォーム、及び、ダイレクトメッセージの推移のうちの少なくとも１つから受信される、又は、導出される情報を含む、請求項１６に記載のコンピュータ実装された方法。
【請求項２５】
前記少なくとも１つのユーザ選択可能な医療記録は、少なくとも１つのテスト結果又は診断を含む、請求項２１に記載のコンピュータ実装された方法。
【請求項２６】
前記少なくとも１つのテスト結果、又は、診断は、光干渉断層撮影（「ＯＣＴ」）、又は蛍光眼底造影法（「ＦＡ」）、及び／又は、インドシアニン・グリーンじゅう毛膜血管造影（「ＩＣＧ」）、及び患者の目の写真画像のうちの少なくとも１つを含む、請求項２５に記載のコンピュータ実装された方法。
【請求項２７】
前記少なくとも１つのユーザ選択可能な医療記録は、任意の現在の医療用語コード（「ＣＰＴコード」）又は、疾病の任意の国際分類コード、バージョン９もしくはバージョン１０（「ＩＣＤコード」）からの少なくとも１つのテスト結果又は診断を含む、請求項２５に記載のコンピュータ実装された方法。
【発明の詳細な説明】
【技術分野】
【０００１】
＜関連出願＞
この出願は、２０１４年３月２１日出願の、発明の名称“ＰＨＹＳＩＣＩＡＮ  ＲＥＶＩＥＷ  ＳＹＳＴＥＭ”の、米国特許出願６１／９６８，６９３号からの優先権を主張し、この全内容は、参照によってここに組み込まれる。
【背景技術】
【０００２】
医療専門家及びスタッフと、患者医療記録及びサービスまたは医療処置との間のコンピュータ化されたインタフェースを提供する電子医療記録システムは、メディカルケアの仕事をかなり改善し、合理化する潜在能力を有している。これらのシステムを使うことで、医療提供者は、診療の提供を追跡し、患者医療記録へアクセスし、提供されたサービスに対する請求費用を追跡し、及び、患者の経過の追跡をすることが出来る。しかし、これらのシステムは、基本的な患者の情報にアクセスするのでさえも、複数のレイヤ、フォルダ、及び／またはウィンドウを介して、ユーザをナビゲートすることを要求する複雑なインタフェースを典型的に含む。
【０００３】
医療知識は、５年ごとに倍増しており、診断テスト及び医療処置は爆発的に増加しており、支払いのための文書化の要求は増加している。医者は、医療提供者として時間を使うよりむしろ、文書化及び管理タスクの負担が大きくなっている。結果として、彼らは、発見したことを入力するために患者に背を向けなくてはならず、入力するために、複数のスクリーンに渡ってナビゲートしなくてはならない。医療ミスの潜在性、診断テスト及び医療の過剰依頼または過少依頼、及び、他の関連したミスは、情報がＥＭＲシステムの電子インタフェース内で失われる、または、埋もれることにより発生する。更に、外科医は、情報を入力するのに、技師、助手、及び他のスタッフにますます依存し、マウスの単純なミスクリックまたはヒューマンエラーにより、不適切な文書が発生しうる。多くの現在のＥＭＲシステムは、多くの管理オーバヘッドを必要とし、費用請求、クレームと、専門サービス及び患者の医療処置に対する支払いと間に齟齬となるユーザエラーを発生しやすい。多くの文書化は、ヒューマンエラーまたはケアレスミスが起こりやすい非外科医の入力、及び患者情報を含む。
【０００４】
外科医が、迅速に、潜在的な問題、不整合、医療の変更、潜在的費用請求エラーを検出し、診断テストを吟味し、患者の全チャート履歴に渡ってナビゲートし、または、外部情報源にアクセスすることを可能にするツールであって、これらすべてが、この「チート・インタラクティブ・ノート」の１ページを簡単に見直すことによって、可能な最良のケアを医者が提供出来るようにするためのツールのニーズが存在する。
【発明の概要】
【０００５】
幾つかの実施形態は、少なくとも１つのプロセッサとデータ通信する非一時的コンピュータ可読媒体を含む、患者への医療提供を集約し、追跡するためのシステムを含み、非一時的コンピュータ可読媒体は、医療サービス追跡システム及び方法を含む、ソフトウェア命令を含む。システムは、少なくとも１つの患者データベースもしくはサーバから患者関連情報にリンク、または、これを受信し、少なくとも１つの患者データベースから受信、もしくは、導出された情報を含む、少なくとも１つの医療記録ダッシュボードを表示するソフトウェア命令を実行するように構成される１つ以上のプロセッサを含む。システムは、少なくとも１つの医療記録ダッシュボードの１つ以上のウィンドウ内に患者情報を表示し、この１つ以上のウィンドウが、少なくとも１つの医療データ入力フィールドを含む、ソフトウェア命令を実行するように構成された１つ以上のプロセッサを含む。システムは、また、ユーザに、少なくとも１つの医療データ入力フィールドにおいて閲覧及び編集アクセスを提供し、少なくとも１つの医療データ入力フィールドのうちの任意の１つは、ユーザが選択可能な医療記録表示へのリンクを含むことができる、ソフトウェア命令を実行するように構成された１つ以上のプロセッサを含む。医療記録表示は、少なくとも１つの医療記録ダッシュボードへのユーザ選択可能なトグルを含む。更に、システムは、少なくとも一人の患者に、以前に提供された、または、実行された少なくとも１つの医療サービスまたは医療処置についての、少なくとも１つの外科医によって行われた要求または外科医によって署名された費用請求の少なくとも一部に基づいて、少なくとも１つの医療データ入力フィールドを自動的に埋めることを可能にする。
【０００６】
幾つかの実施形態においては、１つ以上のプロセッサは、少なくとも１つの電子医療記録システムへダイナミックにリンクするように構成される。幾つかの更なる実施形態においては、１つ以上のプロセッサは、ユーザの指示に従い、電子医療記録システムのユーザインタフェースから、医療サービス追跡システム及び方法を起動するように構成される。幾つかの更なる実施形態においては、１つ以上のプロセッサは、医療サービス追跡システム及び方法によって生成された少なくとも１つの表示と、電子医療記録システムによって生成される１つ以上の表示の間を切り替えるように構成される。
【０００７】
幾つかの実施形態においては、閲覧及び編集アクセスは、少なくとも１つの医療診断に基づいて、少なくとも１つの医療データフィールドを更新、または、マーク付けするオプションをユーザに提供することを含む。幾つかの更なる実施形態においては、更新またはマーク付けは、悪化しているという診断、安定しているという診断、または、改善しているという診断のうちの少なくとも１つの表現を図示するアイコンを含む。更に、幾つかの他の実施形態においては、アイコンは、費用請求された項目、費用請求されていない項目、報告または解釈が必要なテストのうちの少なくとも１つの視覚的表現を提供する、色またはグラフィックの変更を含む。
【０００８】
幾つかの更なる実施形態においては、１つ以上のプロセッサは、医療記録表示における、少なくとも１つのユーザ選択可能な医療記録を表示するように構成されている。幾つかの実施形態においては、少なくとも１つのユーザ選択可能な医療記録は、テスト結果または診断を含む。幾つかの実施形態においては、少なくとも１つのテスト結果または診断は、光干渉断層撮影（「ＯＣＴ」）または、蛍光眼底造影法（「ＦＡ」）、及び／または、インドシアニン・グリーンじゅう毛膜血管造影法（ｉｎｄｏｃｙａｎｉｎｅ  ｇｒｅｅｎ  ｃｈｏｒｉｏａｎｇｉｏｇｒａｐｈｙ ）（「ＩＣＧ」）、及び、患者の目の写真画像のうちの少なくとも１つを含む。幾つかの実施形態においては、少なくとも１つのユーザ選択可能な医療記録は、米国医師会（Ａｍｅｒｉｃａｎ  Ｍｅｄｉｃａｌ  Ａｓｓｏｃｉａｔｉｏｎ）によって作成された任意の現在の医療用語コード（ｃｕｒｒｅｎｔ  ｐｒｏｃｅｄｕｒａｌ  ｔｅｒｍｉｎｏｌｏｇｙ  ｃｏｄｅ）（「ＣＰＴコード」）または、世界保健機関（Ｗｏｒｌｄ  Ｈｅａｌｔｈ  Ｏｒｇａｎｉｚａｔｉｏｎ）によって作成された任意の疾病コードの国際分類のバージョン９またはバージョン１１０（ｉｎｔｅｒｎａｔｉｏｎａｌ  ｃｌａｓｓｉｆｉｃａｔｉｏｎ  ｏｆ  ｄｉｓｅａｓｅ  ｃｏｄｅｓ  ｖｅｒｓｉｏｎ  ９  ｏｒ  ｖｅｒｓｉｏｎ  １０）（「ＩＣＤコード」）からの少なくとも１つのテスト結果または診断を含む。
【０００９】
本発明の幾つかの実施形態は、少なくとも一人の患者に以前提供された、または、実行された、継続中、または、費用請求されていない医療サービスまたは医療処置に少なくとも部分的に基づいて、少なくとも１つの医療データ入力フィールドを自動的に埋めるように構成された１つ以上のプロセッサを含む。幾つかの実施形態においては、少なくとも１つの患者データベースは、医療提供者からの患者情報を含む。幾つかの実施形態においては、患者情報は、ケア文書（ｃａｒｅ  ｄｏｃｕｍｅｎｔ）または、プロアクティブケアフォーム（ｐｒｏａｃｔｉｖｅ  ｃａｒｅ  ｆｏｒｍ）の推移から受信された、または、導出された情報を含む。幾つかの更なる実施形態においては、患者情報は、ダイレクトメッセージから受信された、または、導出された情報を含む。
【００１０】
本発明の幾つかの実施形態は、少なくとも１つのプロセッサとデータ通信する非一時的コンピュータ可読媒体を含む、患者へ提供された医療サービスを集約し、追跡するためのシステムを提供することを含むコンピュータ実装された医療サービス方法を含み、非維持的コンピュータ可読媒体は、医療サービス追跡システムと方法を含むソフトウェア命令を含み、１つ以上のプロセッサは、医療サービス追跡システム及び方法を実行するためのソフトウェア命令を実行するように構成される。この方法は、少なくとも１つの患者データベースまたはサーバから患者に関する情報を受信することと、少なくとも１つの医療サービスまたは医療処置、少なくとも１つの医療サービスまたは医療処置について外科医によって行われた少なくとも１つの請求または外科医によって署名された費用請求、及び少なくとも１つの患者医療記録の表示された集合を含む、少なくとも１つの医療記録ダッシュボードを表示することと、を含む。この方法は、少なくとも１つの医療記録ダッシュボードの１つ以上のウィンドウ内に患者情報を表示することを含み、１つ以上のウィンドウは、少なくとも１つの医療データ入力フィールドを含む。この方法は、少なくとも１つの医療データ入力フィールドへの閲覧及び編集アクセスをユーザに提供することを含み、少なくとも１つの医療データ入力フィールドのうちの任意の一つは、医療記録表示へのユーザ選択可能なリンクを含むことが出来る。更に、医療記録表示は、少なくとも１つの医療記録ダッシュボードへのユーザ選択可能なトグルを含み、この方法は、少なくとも一人の患者に対して以前に提供された、または、実行された少なくとも１つの医療サービスまたは医療処置についての、少なくとも１つの、外科医によって行われた請求、または、外科医によって署名された費用請求に少なくとも部分的に基づいて、少なくとも１つの医療データ入力フィールドを自動的に埋めることを含む。
【００１１】
幾つかの実施形態においては、１つ以上のプロセッサは、医療サービス追跡システム及び方法によって作成される少なくとも１つの表示と、電子医療記録システムによって作成される１つ以上の表示との間を切り替えるように構成される。幾つかの実施形態においては、閲覧及び編集アクセスは、少なくとも１つ医療診断に基づいて、少なくとも１つの医療データフィールドを更新、または、マーク付けするオプションをユーザに提供することを含む。この方法の幾つかの実施形態においては、更新またはマーク付けは、悪化しているという診断、安定しているという診断、または、改善しているという診断のうちの少なくとも１つの表現を図示するアイコンを含む。更に、この方法の幾つかの実施形態においては、アイコンは、費用請求された項目、費用請求されていない項目、報告または解釈が必要なテストのうちの少なくとも１つの視覚表現を提供する、色またはグラフィックの変更を含む。
【００１２】
この方法の幾つかの更なる実施形態においては、１つ以上のプロセッサは、医療記録表示における少なくとも１つのユーザ選択可能な医療記録を表示するように構成されている。この方法の幾つかの実施形態は、少なくとも一人の患者に以前提供された、または、実行された、継続中、または、費用請求されていない医療サービスまたは、医療処置に、少なくとも部分的に基づいて、少なくとも１つの医療データ入力フィールドを自動的に埋めるように構成される。
【００１３】
この方法の幾つかの実施形態においては、少なくとも１つの患者データベースは、医療提供者からの患者情報を含む。幾つかの更なる実施形態においては、患者情報は、ケア文書、プロアクティブケアフォーム、及びダイレクトメッセージの推移の少なくとも１つから受信され、又は、導出される情報を含む。
【図面の簡単な説明】
【００１４】
【図１】ここに記述する本発明の実施形態を展開する、または、起動するために有用なサンプルの医療記録システムを図示する。
【図２】ここに記述する本発明の実施形態を展開する、または、起動するために有用な医療記録システムの医療記録ウィンドウを図示する。
【図３】ここに記述する本発明の実施形態を選択し、起動するために有用な医療記録ダッシュボード選択ウィンドウを図示する。
【図４Ａ】本発明の幾つかの実施形態による、医療記録ダッシュボードを図示する。
【図４Ｂ】本発明の幾つかの実施形態による、図４Ａの医療記録ダッシュボードの一部を図示する。
【図４Ｃ】本発明の幾つかの実施形態による、図４Ａの医療記録ダッシュボードの一部を図示する。
【図４Ｄ】本発明の幾つかの実施形態による、図４Ａの医療記録ダッシュボードの一部を図示する。
【図５Ａ】本発明の幾つかの実施形態による、医療要約更新プロセスを図示する。
【図５Ｂ】本発明の幾つかの実施形態による、ノート更新プロセスを図示する。
【図６】本発明の幾つかの実施形態による、ユーザアクション記録アクセスプロセスを図示する。
【図７】本発明の幾つかの実施形態による、医療記録アクセスウィンドウを図示する。
【図８】本発明の幾つかの実施形態による、医療記録及び診断更新プロセスを図示する。
【図９】本発明の幾つかの実施形態による、医療記録更新マーカプロセスを図示する。
【図１０Ａ】本発明の幾つかの実施形態による、医療記録更新マーカプロセスを図示する。
【図１０Ｂ】本発明の幾つかの実施形態による、医療記録更新マーカプロセスを図示する。
【図１１】本発明の幾つかの実施形態による、スクロールされた表示を含む、図４Ａの医療記録ダッシュボードの一部を図示する。
【図１２Ａ】本発明の他の実施形態による、医療記録ダッシュボードの一部を図示する。
【図１２Ｂ】本発明の幾つかの実施形態による、図１２Ａの医療記録ダッシュボードの一部を図示する。
【図１２Ｃ】本発明の幾つかの実施形態による、図１２Ａの医療記録ダッシュボードの一部を図示する。
【図１２Ｄ】本発明の幾つかの実施形態によって実行されるＣＰＴコードを、ある期間の間、診断される患者の関数として表示するための医療記録ダッシュボードの一部を図示する。
【図１２Ｅ】本発明の幾つかの実施形態による、特定の病気のＩＣＤを、患者の関数として表示するための医療記録ダッシュボードの一部を図示する。
【図１３】本発明の幾つかの実施形態による、医療サービス追跡システム及び方法のコンポーネントを操作し、処理するように構成されたコンピュータシステムを図示する。
【発明を実施するための形態】
【００１５】
本発明の任意の実施形態を詳細に説明する前に、本発明は、以下の説明において述べられ、以下の図面に図示されるコンポーネントの構成及び配置の詳細への適用には限定されないことを理解されたい。本発明は、他の実施形態であることが出来、さまざまな方法で、実施され、又は、実行されることが出来る。また、ここに用いられる、言い回し、及び、語句は、説明の目的のためであり、限定的にみなされるべきではないことを理解されたい。「含む（ｉｎｃｌｕｄｉｎｇ） 」、「含む（ｃｏｍｐｒｉｓｉｎｇ）」又は、「有する（ｈａｖｉｎｇ）」及び、それらの変形の使用は、ここでは、追加の項目と共に、その語の後に記載された項目およびその均等物を含むことを意味する。特に指定され、又は、限定されない限り、語句「取り付けられる（ｍｏｕｎｔｅｄ）」、「接続される（ｃｏｎｎｅｃｔｅｄ）」、「支持される（ｓｕｐｐｏｒｔｅｄ）」及び「結合される（ｃｏｕｐｌｅｄ）」及びそれらの変形は、広い意味で用いられ、直接、及び、間接双方の、取り付け（ｍｏｕｎｔｉｎｇｓ）、接続（ｃｏｎｎｅｃｔｉｏｎｓ）、 支持（ｓｕｐｐｏｒｔｓ）、 及び結合（ｃｏｕｐｌｉｎｇｓ）を含む。更に、「接続される（ｃｏｎｎｅｃｔｅｄ）」及び「結合される（ｃｏｕｐｌｅｄ）」は、物理的又は機械的接続又は結合に限定されない。
【００１６】
以下の議論は、当業者が、本発明の実施形態を作成し、使用することが出来るように提示される。図示された実施形態への様々な改変は、当業者に容易に明らかであろうし、この一般的原理は、本発明の実施形態から逸脱することなく、他の実施形態及び応用に適用されることが出来る。従って、本発明の実施形態は、示された実施形態に限定することは意図されておらず、ここに開示する原理と特徴に整合するもっとも広い範囲に一致するべきである。以下の詳細な記述は、図面を参照して読まれるべきであり、図面においては、異なる図における同様な要素は、同様な参照番号を有する。必ずしも同一の縮尺ではない図は、選択された実施形態を図示するものであり、本発明の実施形態の範囲を制限することは意図されていない。当業者は、ここに提供される例は、本発明の実施形態の範囲内に入る多くの有用な別形態を有することを認識するだろう。
【００１７】
幾つかのコンピュータ化された、又は、電子の医療記録（「ＥＭＲ」）システムは、医療専門家及びスタッフと、１つ以上の医療記録データベースとの間のコンピュータ化されたインタフェースを提供する。ここに開示された本発明の幾つかの実施形態は、従来のＥＭＲシステムとリンクされるか、又は、従来のＥＭＲシステムからアクセスされることが出来る医療サービス追跡システム及び方法を含む。そのような従来のＥＭＲシステムの例は、米国、０８８２０、ニュージャージー州、エジソン、１９６７オークツリーロードのＭＤ  Ｏｆｆｉｃｅ，Ｉｎｃ．ＵＳＡ、によって販売されているＭＤ  Ｏｆｆｉｃｅ医療記録及び実務管理システムを含む。
【００１８】
本発明の幾つかの実施形態は、前述のＭＤ  Ｏｆｆｉｃｅ医療記録システムのような従来の医療記録システムへのアドオンソフトウェアパッケージとして含まれることが出来る、医療サービス追跡システム及び方法を含む。幾つかの実施形態においては、アドオンソフトウェアプログラムに関連したタスクは、ＭＤ  Ｏｆｆｉｃｅなどの従来の医療記録システムの１つ以上のソフトウェアタスク又はモジュールにシームレスにリンクされる、及び／又は、組み込まれることが出来る。幾つかの実施形態においては、アプリケーションプログラミングインタフェース（以降、「ＡＰＩ」）は、医療サービス追跡システム及び方法の１つ以上のソフトウェアモジュールと、ＭＤ  Ｏｆｆｉｃｅ及び／又は、１つ以上の患者記録及び／又は患者記録を含むデータベースなどの１つ以上の従来の医療記録システムとの間のデータの接続、及び、転送に用いられることが出来る。例えば、本発明の幾つかの実施形態においては、医療サービス追跡システム及び方法は、マスター患者インデックス又は医療提供者からの患者データを受信するように構成されることが出来る。
【００１９】
幾つかの実施形態においては、医療サービス追跡システム及び方法の新規のソフトウェアフィーチャは、アプリケーションの既存のコードを改変することなく、ＭＤ  Ｏｆｆｉｃｅなどの既存のアプリケーションに追加されることが出来る。幾つかの他の実施形態においては、医療サービス追跡システム及び方法は、ＭＤ  Ｏｆｆｉｃｅなどの任意の従来の医療記録システムとリンクされない、オーバレイされない、又は、インタフェース接続されない、独立したアプリケーションとして、機能することが出来る。
【００２０】
図１は、ここに記述する本発明の実施形態を展開する、又は、起動するために有用なサンプル医療記録システム１００を図示する。幾つかの実施形態においては、医療実務者などのユーザは、医療サービス追跡システムを起動し、又は、入力するために、ＭＤ  Ｏｆｆｉｃｅ又は、他の医療記録システムなどの従来の医療記録システム１００を利用することが出来る。図２は、ここに記述される本発明の実施形態を展開し、又は、起動するために有用な医療記録システム１００の医療記録ウィンドウ２００を図示する。幾つかの実施形態においては、従来の医療記録システムの医療記録ウィンドウ２００は、医療サービス追跡システム及び方法の１つ以上の実施形態へのアクセス、または、起動を容易にするための、医療追跡システム起動アイコン２５０を含むことが出来る。
【００２１】
幾つかの実施形態においては、ユーザは、医療サービス追跡システム及び方法にアクセスする、又は、これを起動する意図で、医療記録システム１００を終了するために、医療追跡システム起動アイコン２５０を用いることが出来る。幾つかの更なる実施形態においては、起動アイコン２５０は、医療記録システム１００を一時的に停止し、医療サービス追跡システム及び方法にアクセスする、又は、これを起動するために用いられることが出来る。幾つかの他の実施形態においては、起動アイコン２５０は、医療サービス追跡システム及び方法にアクセスし、又は、これを起動するために用いられることが出来るが、一方、医療記録システム１００は、並列に動作を続け、バックグラウンドモードで動作し続け、及び／又は、アイドルモードに移行する。
【００２２】
ここに記述される本発明の実施形態を選択し、及び、起動するのに有用な医療記録ダッシュボード選択ウィンドウを図示する図３を参照すると、幾つかの実施形態においては、ユーザが起動アイコン２５０を選択、又は、クリックした後、医療記録ダッシュボード選択ウィンドウ３００が表示されることが出来る。医療記録ダッシュボード選択ウィンドウ３００は、ユーザが、少なくとも１つの医療記録ダッシュボードにアクセスすることを選択可能な、１つ以上の選択可能な医療記録ダッシュボードを含むことが出来る。例えば、幾つかの実施形態においては、ユーザは、網膜フローシートを含む医療記録ダッシュボードにアクセスし、及び／又は、これを起動するために、「網膜フローシート」３０５を選択することが出来る。
【００２３】
図４Ａは、本発明の幾つかの実施形態による、医療記録ダッシュボード４００を図示する。幾つかの実施形態においては、医療記録ダッシュボード４００は、医療記録ダッシュボード選択ウィンドウ３００からの、少なくとも１つの医療記録ダッシュボードのユーザの選択に続いて、ユーザによって表示されることが出来る。幾つかの実施形態においては、医療記録ダッシュボード４００は、１つ以上の提供された医療処置又はサービスについての、外科医による請求、又は、署名された費用請求に基づいて、１つ以上の医療記録からデータを表示し、及び／又は、医療処置及びサービスを追跡することが出来る。本発明の幾つかの実施形態は、医療記録ダッシュボード４００に表示されることが出来る患者情報を含む、様々な外部データベースへダイナミックにリンクすることが出来る、医療サービス追跡システム及び方法を含む。例えば、幾つかの実施形態においては、医療サービス追跡システム及び方法は、ユーザによって用意される患者情報又は他の情報源からの患者情報へのポータルとして機能することが出来る。更に、本発明の幾つかの実施形態においては、医療記録ダッシュボード４００は、外科医によって行われる請求又は署名された費用請求の関数として、自動的に埋められることが出来る。この例では、医療記録ダッシュボード４００内に表示される任意のデータは、患者に以前に提供された１つ以上の医療処置又はサービスについて費用請求された１つ以上の請求記録から導出される。幾つかの他の実施形態においては、自動的な埋め込みは、文書化のためにチャートの適切な部分に自動的に追加される医療記録ダッシュボード４００における、任意のウィンドウ、サブウィンドウ、コラム、又はエントリに追加されるものと共に、ＥＭＲ全体と医療記録ダッシュボード４００との間のスイッチボードとして相互作用する両方向で可能とされることが出来る。幾つかの実施形態においては、医療記録ダッシュボード４００は、患者の目の網膜のケアに関して、医療処置又はサービスに関連した情報を表示することが出来る。他の実施形態においては、医療記録ダッシュボード４００は、あらゆる種類の患者の医療ケアに関連して、医療処置又はサービスに関連した情報を表示することが出来る。
【００２４】
幾つかの実施形態においては、医療記録ダッシュボード４００は、ユーザの嗜好、及び／又は、医療記録ダッシュボード４００との現在又は以前のユーザの相互作用に基づいて、様々なウィンドウ及びサブウィンドウを表示することが出来る。例えば、幾つかの実施形態においては、医療記録ダッシュボード４００は、患者の医療問題及び手術に関連した情報をそれぞれ、情報コラム６００、７００に表示することが出来る、問題ウィンドウ４２５及び／又は手術ウィンドウ４５０を表示することが出来る。更に、幾つかの実施形態においては、アレルギー及び薬物に関連した患者情報は、アレルギー／薬物セクション４６０内に表示されることが出来る。この情報は、様々な情報源から自動的に埋められることが出来、又は、職員によって入力されることが出来る。幾つかの実施形態においては、医療記録ダッシュボード４００は、患者に関連した要約情報、患者に提供されたケアの任意の詳細、及び／又は、医療実務者によって準備された任意の医療診断情報をユーザが閲覧し、編集することを可能とする要約ウィンドウ４７５を含むことが出来る。更に、医療記録ダッシュボード４００は、また、上述したように、外科医によって署名された費用請求を含む、請求、又は、費用請求、又は、支払いによって自動的に埋められる医療処置又はサービスを含む、患者に提供された任意の医療処置又はサービスに関連した詳細な情報を表示することが出来る。例えば、幾つかの実施形態においては、医療記録ダッシュボード４００は、外科医によって行われた請求又は署名された費用請求によって自動的に埋められることが出来る情報コラム８００を含む、医療追跡表示ウィンドウ５００を表示することが出来る。自動埋め込みは、ＥＭＲチャート内の任意の場所からの費用請求、支払い、又は、他の情報を含むことが出来る。
【００２５】
医療記録ダッシュボード４００は、患者を特定する各種情報、患者の保険プランに関する情報、医師及び委託医師（ｒｅｆｅｒｒｉｎｇ  ｄｏｃｔｏｒ）、及び患者の現在の収支を含むことが出来る。他の情報は、患者の以前の来院、以前の診断又は医療処置、及び次の来院に関連した任意の重要な情報に関することが出来る。追加の情報は、病歴、主要な医療的訴えを含む現在の来院、費用請求情報、及び、投薬情報を含む取得可能な医療情報に関連することが出来る。例えば、幾つかの実施形態においては、医療記録ダッシュボード４００は、患者保険エントリ４０１、委託医師エントリ４０２、及び主執刀医エントリ４０３を含むことが出来る。医療記録ダッシュボード４００は、また、患者の収支エントリ４０４、及び、高額控除可能なプランエントリ４０５を含むことが出来る。継続中の、又は、現在の来院に関連した重要な患者情報は、「術後経過日数」（ｄａｙｓ  ｌｅｆｔ  ｐｏｓｔ  ｏｐ  ｐｅｒｉｏｄ）エントリ４０６及び／又は情報警告４６５を含むことが出来る。幾つかの実施形態においては、情報警告４６５は、医療記録ダッシュボード４００内の他の情報又はエントリに基づいて、自動的に埋めることが出来る。他の実施形態においては、情報警告４６５は、患者に関連した情報のユーザ又は他のユーザに、任意のユーザが警告するために設定されることが出来る。幾つかの実施形態においては、情報警告４６５は、血圧などの医療情報、又は、患者が妊娠しているか否か、又は、医療チームのメンバーが他のメンバーに警告することが出来る任意の他の緊急情報などの情報を含む、技師日誌を含むことが出来る。更に、この情報は、固定的となることができ、又は、ダッシュボード４００から、及び、任意の医療記録を含む、ダッシュボード４００からアクセスできる任意の記録もしくはテーブルから削除されることが出来る。更に、この情報は、上記記録のうちの任意のものから消去可能な、「付箋」として、機能し、又は、構成されることが出来る。例えば、「付箋」は、ダッシュボード上に乗る電子付箋、又は、ダッシュボードからアクセス可能な任意の記録、又は、物理的記録、チャート、もしくは、テーブルにつけられた物理的付箋とすることが出来る。また、このテーブル４００は、患者のテストの解釈及び評価が、文書化され費用請求されると、通常、日付印が押され、修正の新しい日付が押されない限り容易に修正できないという点で、他に類を見ないものである。このテーブルは、必ずしも、特定の日の医療記録の一部として使用されなくてもよいものとされる、ケアを改善し、フォローするための医療ツールである。従って、月単位又は年単位のパート医師は、新規な知見、発見、又は理解がある場合、「過去の医療記録を変更する」と抵抗を感じないで、テーブルにノートを追加することが出来、その開示は、テーブルの下部に行うことが出来る。
【００２６】
幾つかの他の実施形態においては、技師日誌は、ダッシュボード４００の少なくとも１つの他の部分で、ユーザによってアクセスされる、又は、ユーザに閲覧可能とされることが出来る。幾つかの実施形態においては、情報警告４６５は、特定の色、及び／又は、特定のグラフィック、及び／又はアニメーションによって表示されることが出来る。例えば、幾つかの実施形態においては、情報警告４６５は、フラッシュする赤色のアニメーションを含むことが出来る。また、このテーブル４００は、文書化され、費用請求されると、患者の解釈及び評価が、通常、日付印が押され、修正の新しい日付を入れないで容易に修正することが出来ないという点で、他に類を見ないものである。テーブルのこの実施形態は、ケアを改善し、フォローするためのツールであり、従って、特定の日の医療記録の一部として必ずしも用いられる必要はない。従って、月又は年単位で離れていた医師は、所見、又は、新規な発見、又は、認識があるなら、過去の医療記録を変更しているという抵抗を感じることなく、テーブルにノートを付けることが出来る。審査の間、外科医を守るために、「このテーブルのノート」は、必ずしも、日付として記載された時間に追加される必要はないというテーブルのステートメントが追加されることが出来る。
【００２７】
幾つかの実施形態は、外部（アイコン４０７）システム又は第三者からの１つ以上のレター又は結果への警告又はアクセスを含む。幾つかの更なる実施形態は、送信されたレター４０８への警告又はアクセスを含む。レターは、ユーザ及び／又は他の医療提供者から、記述された、タイプされた、及び／又は、１つ以上の口述されたレターとすることが出来る。
【００２８】
幾つかの実施形態は、今日の履歴、今日のプラン、及び／又は、今日の費用請求へのエントリ、又は、アクセスを含む。例えば、幾つかの実施形態は、「今日の履歴」エントリ、又は、アクセス４０９、「今日のプラン」エントリ又はアクセス４１１、及び、「今日の費用請求」エントリ又はアクセス４１３を含む。
【００２９】
幾つかの実施形態においては、医療記録ダッシュボード４００は、また、（例えば、支払い概要などの）外部データベース、プロバイダ、病院、クリニック及び／又はテスト機関などからの情報（例えば、この情報は、試験結果のすべてを実際に見るために、ある種の装置及びマシンについて実施した全診断画像化センタを含むことが出来る場合）への少なくとも１つのリンクを含むことが出来る。後者の例において、医療記録ダッシュボード４００は、診断装置からデータを受信するために結合される、少なくとも１つのデータベース及び／又はサーバ及び／又はコントローラから情報を受信することが出来る。更に、幾つかの実施形態は、国立患者レジストリ（Ｎａｔｉｏｎａｌ  Ｐａｔｉｅｎｔ  Ｒｅｇｉｓｔｒｙ）又は、他の種類のレジストリ（リンク４１５）、病院ＥＭＲ（リンク４１７）、画像化センタ４１９（多くの診断画像、及び、試験結果、又は、特定の診断装置を扱うために、ソフトウェア画像化及び診断管理システムにアクセスすることを含む）、及び、Ｅｐｒｅｓｃｒｉｂｅリンク４２１へのエントリ又はアクセスを含む。
【００３０】
幾つかの実施形態においては、ユーザは、少なくとも１つのＥｐｒｅｓｃｒｉｂｅデータベース、サーバ、及び／又はウェブサイトに、Ｅｐｒｅｓｃｒｉｂｅリンク４２１を使って、ダッシュボード４００から直接に、アクセスすることが出来る。更に、幾つかの実施形態においては、オーダは、ＥＭＲのプラン又はオーダスクリーンに、自動的に埋められることが出来る（「オーダ」リンク４２３）。
【００３１】
幾つかの実施形態においては、「診療リサーチ検査診断装置」と言う名の１つのボタン（ボタン４２４ａ）は、医師が測定を行い、所見を入力することが出来るように、その日又は他の日にテスト用に用いられた１つの装置又は複数の装置に、ユーザ（例えば、外科医）を直ぐに連れて行くことが出来る。これは、任意の診断装置にアクセスできるように、ユーザの実施において内部的なものとすることが出来る。幾つかの実施形態においては、同一又は他のボタンは、画像又は診断管理ソフトウェアシステムへの主テーブルにおけるリンクを提供することが出来る。このように、幾つかの実施形態は、非常に多くの診断装置及び画像を扱うことが出来、ＰＤＦにアクセスを提供するのみの従来のテーブルとは異なり、これらの実施形態は、単一の診断装置のみではなく、それらの全てへの、及び「一部」のみではなく、完全な検査へのアクセスを提供し、作成された時間に渡る変化の評価と比較をすることが出来る。
【００３２】
入力されると、データは、他のコラム１２００の下の、（例えば、網膜フローシートのような）ダッシュボード４００に自動的に埋められることが出来、各診療リサーチ検査は、中心窩網膜厚（ｃｅｎｔｒａｌ  ｍａｃｕｌａｒ  ｔｈｉｃｋｎｅｓｓ）（「ＣＭＴ］）又は虚血性インデックス（ｉｓｃｈｅｍｉｃ  ｉｎｄｅｘ ）（「ＩＳＩ」）などの、フォローされる他の要因を有するだろう。更に、第２のボタン（ボタン４２４ｂ）は、診療リサーチウェブサイトのスポンサーをする会社（製薬会社のこともあり、装置を発明した会社のこともある）のいずれかにユーザを連れて行くことが出来る。診療検査医は、すぐに、このウェブサイトに行き、診断装置ボタン４２４ａからの、及び／又はリサーチスプレッドシートへのその訪問から得られた任意のデータを入力することが出来、リサーチスプレッドシートには、ユーザ（例えば、この例示的実施形態においては、診療検査医）は、データを入力することができるか、又は、データは、（例えば、他のコラム１２００から、又は、コラム１２００へと）自動的に埋められることが出来る。
【００３３】
問題ウィンドウ４２５、手術ウィンドウ４５０、及び医療追跡表示ウィンドウ５００の更なる詳細は、医療記録ダッシュボード４００の一部の拡大図を図示する図４Ｂ〜図４Ｄに提供される。例えば、図４Ｂは、本発明の幾つかの実施形態による、図４Ａの医療記録ダッシュボードの一部を図示する。図示されるように、問題ウィンドウ４２５の情報コラム６００は、入力された日付コラム６１０、タイムラインコラム６２０に日付及び時間情報を、疾病コードの国際分類バージョン９又はバージョン１０（以下ではまとめて「ＩＣＤコード」と呼ぶ）情報、問題又は病気（右目、左目、両目を特定する「ＯＤ」、「ＯＳ」、「ＯＵ」として示される）の位置又は身体の任意の部位からの情報を含む疾病コードの国際分類用に「ＩＣＤ」コラム６３０に、自動的に埋められる、又は入力されることが出来る患者の問題又は病気の初診又は最終診断に関連した詳細な情報用に診断コラム６５０に含むことが出来る。更に、手術ウィンドウ４５０の情報コラム７００は、サービスもしくは医療処置が、患者に提供された（医療処置コラム７２０）、実行されたサービス又は医療処置の説明（説明コラム７３０）、いつサービス又は医療処置が提供されたか（タイムラインコラム７１０）に関する情報を含むことが出来る。図４Ｃを参照すると、本発明の幾つかの実施形態においては、手術ウィンドウ４５０は、位置情報７４０、執刀医又は医師情報７５０、及びコメントセクション７６０を含むことが出来る。
【００３４】
医療追跡表示ウィンドウ５００を参照すると、情報コラム８００は、日付コラム８０５と、患者に実行された１つ以上の医療処置の詳細の情報を示す、又は、これへのアクセスを提供する医療処置コラム８１０とを含むことが出来る。更に、医療処置コラム８１０は、右目及び左目医療処置情報を提供する「ＯＤ］コラム８１５、及び「ＯＳ」コラム８２０を含むことができ、又は、身体の一部（つまり、整形手術、肢対脊椎）とすることが出来る。幾つかの実施形態においては、医療提供者に関連した情報、医療処置が実行された位置、来院情報は、プロバイダコラム８３０、及びユニットコラム８４０、及び来院コラム８４５において、ユーザに提供されることが出来る。
【００３５】
本発明の幾つかの実施形態においては、ユーザは、患者に実行されたテスト及び医療処置に関連した情報を閲覧することが出来る。例えば、これらは、光干渉断層撮影（「ＯＣＴ」）、又は蛍光眼底造影法（「ＦＡ」）、及び／又はインドシアニン・グリーンじゅう毛膜血管造影法（「ＩＣＧ」）、又は、米国医師会ＣＰＴ２０１５プロフェッショナルエディションに見られる任意のＣＰＴコードを含む任意の現在の医療用語コード（ｃｕｒｒｅｎｔ  ｐｒｏｃｅｄｕｒａｌ  ｔｅｒｍｉｎｏｌｏｇｙ  ｃｏｄｅ）（以下、「ＣＰＴコード」）などの１つ以上の医療画像化処置に関する情報を含むことができ、米国医師会ＣＰＴ２０１５プロフェッショナルエディションの全内容は、参照により組み込まれる。更に、ユーザは、ＩＣＤコードに基づいて、患者に実行されたテスト及び医療処置に関連する情報を閲覧することが出来る。
【００３６】
幾つかの実施形態においては、費用請求され、及び、請求された、実行された医療処置（上記の医療画像化処置のうち任意のものを含む）は、「ＯＣＴ」コラム８５０（「ＯＤ」コラム８５５と「ＯＳ」コラム８６０として分割されている）、「ＦＡ」コラム８７０（「ＯＤ」コラム８７２と「ＯＳ」コラム８７４として分割されている）、及び／又は、「ＩＣＧ」コラム８８０（「ＯＤ」コラム８８２と「ＯＳ」コラム８８４として分割されている）のうちの任意のコラム内で、ユーザによって閲覧され、又は、アクセスされることが出来る。
【００３７】
本発明の幾つかの実施形態による、図４Ａの医療記録ダッシュボードの一部を図示する図４Ｃを参照すると、情報コラム８００は、目の光学及び自家蛍光画像（「ＯＵ」コラム８９２および「ＡＦ」コラム８９４）を含む、患者の目の任意の写真画像にユーザがアクセスできるように構成される写真コラム８９０を含むことが出来る。幾つかの実施形態においては、視覚機能テストが実行されたなら、情報は、「ＶＦ」コラム９００（「ＯＤ」コラム９１０、「ＯＳ」コラム９２０、及び／又は「ＯＵ」コラム９３０を含む）において、閲覧され、又は、アクセスされることが出来る。幾つかの実施形態は、また、拡張眼科コラム１０００（「ＯＤ」コラム１０５０及び「ＯＳ」コラム１０７０を含む）、及び、視力コラム（「ＯＤ」コラム１１５０及び「ＯＳ」コラム１１７０を含む、「ＶＡ」コラム１１００）を含む。幾つかの実施形態においては、上述したように、様々なテスト、医療処置、又はサービスの他の詳細は、他のコラム１２００において、閲覧され、又は、アクセスされることが出来る。更に、ユーザがアクセスすることが出来る、テスト、医療処置、又はサービス、又は、ユーザ及び／もしくは医療提供者によって提供される他のノートのうちの任意のものに関連した情報は、１つ以上のノートアクセスアイコン１３５０を用いることにより、及び／又はノートエントリ１３７５例えば、及び／又は、ノートエントリウィンドウ１３０５を用いて入力された任意のノート）を閲覧することにより、（ノートコラム１３００において、閲覧され、又は、アクセスされることが出来る。情報は、また、ＥＭＲプランページ内で自動的に埋められることも出来る。
【００３８】
本発明の幾つかの実施形態は、患者に提供された医療サービス、医療処置、又は、テストに関連した詳細情報へのアクセスを表す、及び／又は、可能にする視覚キュー、アイコン、又はマーカを含む。例えば、幾つかの実施形態においては、実行された、又は、提供された医療サービス、医療処置、又はテストは、視覚コード、アイコン、又はグラフィックマーカが割り当てられることが出来る。例えば、図４Ｂは、患者に実行された、又は、提供された医療サービス、医療処置、又はテストを表す、視覚キュー、アイコン、又はマーカ８８５を少なくとも示す。幾つかの実施形態においては、医療追跡表示ウィンドウ５００内の情報コラム８００は、少なくとも１つの、「行われたテスト、画像添付なし」アイコン８８５ａと、１つ以上の「オーダビューアの画像を見てください」アイコン８８５ｂ、少なくとも１つの「オーダ解釈を見てください」アイコン８８５ｃ、及び／又は、少なくとも１つの「費用請求された、又は請求された医療処置」アイコン８８５ｄを含むことができ、医療記録ダッシュボード４００内の外観は、行われた請求を表し、色又は他の方法（イタリック、ボールドなど）の変更は、費用請求が支払われたか否かを表すことが出来る。更に、図４Ｄは、本発明の幾つかの実施形態による、図４Ａの医療記録ダッシュボード４００の他の部分を図示し、「行われたテスト、画像添付なし」アイコン８８５ａ、「オーダビューアの画像を見てください」アイコン８８５ｂ、「オーダ解釈を見てください」アイコン８８５ｃ、及び／又は、「費用請求された、又は請求された医療処置」アイコン８８５ｄの例を示し、医療記録ダッシュボード４００内の外観は、行われた請求を表し、色又は他の通知方法の変更は、費用請求が支払われたか否かを表すことが出来る。
【００３９】
本発明の幾つかの実施形態においては、医療記録ダッシュボード４００は、医療記録ダッシュボード４００の任意の態様のテキスト要約を提供することが出来る。以前に記述したように、要約ウィンドウ４７５は、患者に関連した要約情報、患者に提供されたケアの任意の詳細、及び／又は、医療実務者によって準備された任意の医療診断情報をユーザが閲覧し、編集することが出来るようにする。幾つかの実施形態においては、ユーザは、要約情報を追加し、及び／又は編集することが出来る。例えば、図５Ａは、本発明の幾つかの実施形態による、医療要約更新プロセスを図示する。幾つかの実施形態においては、問題ウィンドウ４２５、手術ウィンドウ４５０、要約ウィンドウ４７５、及び、医療追跡表示ウィンドウ５００を含む、医療記録ダッシュボード４００は、要約入力ウィンドウ４８４を用いて、入力され、更新され、拡張されることが出来る、要約コメント４８２を含むことが出来る。幾つかの実施形態においては、ユーザは、要約ウィンドウ４７５への入力のために、要約入力ウィンドウ４８４内に情報を入力することが出来る。
【００４０】
本発明の幾つかの実施形態においては、ユーザは、ユーザがアクセス可能なテスト、医療処置、もしくはサービス、または、ユーザ及び／もしくは医療提供者によって、ノートコラム１３００内で提供される他のノートの任意のものに関連した情報を追加し、又は、更新することが出来る。例えば、図５Ｂは、本発明の幾つかの実施形態による、ノート更新プロセスを図示する。幾つかの実施形態においては、問題ウィンドウ４２５、手術ウィンドウ４５０、要約ウィンドウ４７５、及び、ノートコラム１３００を有する医療追跡表示ウィンドウ５００を含む、医療記録ダッシュボード４００は、ノート入力ウィンドウ１３０５を用いて、１つ以上のノートで更新されることが出来る。幾つかの実施形態においては、配置又は閲覧機能は、左又は右マウスクリック機能を用いて、トグルされることが出来る。例えば、幾つかの実施形態においては、初期印象又は診断に続いて、右クリックは、更新され、もしくは（例えば、ノート入力ウィンドウ１３０５を介して）ノートに示されることができ、及び／又は、左クリックは、要約（例えば、要約コメント４８２としての要約ウィンドウ４７５）に示されることが出来る。更に、一例又は他の方法での右クリックは、テーブルにタイプされたものを医療チャートの対応する領域（例えば、プラン）に挿入することができ、左クリックは、テーブルにのみ挿入し、ＥＭＲ内のいかなる他の位置にも挿入しないだろう。
【００４１】
視覚キュー、アイコン、又はマーカ８８５（上記で述べ、少なくとも図４Ｂに示された）について、幾つかの実施形態においては、ユーザは、視覚キュー、アイコン、又はマーカ８８５にリンクされた基礎の情報にアクセスすることが出来る。例えば、シングルクリック又はマウスオーバを用いて、ユーザは、医療記録ダッシュボード４００の医療追跡表示ウィンドウ５００を用いて、医療追跡表示ウィンドウ５００及び／又は、医療記録ダッシュボード４００の他のウィンドウもしくはサブウィンドウ内に自動的に埋められる任意の情報にアクセスし、これを閲覧することが出来る。例えば、図６は、本発明の幾つかの実施形態による、ユーザアクション記録アクセスプロセスを図示する。幾つかの実施形態においては、ユーザアクション８８７（ユーザのクリック又はカーソルのマウスオーバを図示する）は、情報（この例では、「オーダビューアの画像を見てください」アイコン８８５ｂにリンクされた情報）にユーザがアクセスし、閲覧することを可能とすることが出来る。幾つかの更なる実施形態においては、医療記録ダッシュボード４００の任意の部分内の任意の情報にユーザがアクセスし、これを閲覧することが出来るように、ユーザは、シングルクリック、又は、マウスオーバを用いることが出来る。更に、幾つかの実施形態においては、ユーザは、医療記録ダッシュボード４００の一部から他の部分へナビゲートするために、左及び右マウスクリックを用いることが出来る。更に、幾つかの実施形態においては、右クリックマウス機能は、ユーザを更新し、及び／又は医療記録ダッシュボード４００内の任意の重要な情報を表示し、左クリックは、医療記録ダッシュボード４００の他の部分にユーザを戻すことが出来る。
【００４２】
本発明の例示的実施形態として、医療サービス追跡システム及び方法は、ユーザアクション８８７の結果として、少なくとも１つの医療記録を表示することが出来る。例えば、図７は、本発明の幾つかの実施形態による、医療記録アクセスウィンドウ１７００を図示する。幾つかの実施形態においては、（ユーザアクション８８７によって表される）ユーザのアクションは、医療サービス追跡システム及び方法に、医療記録表示１７１０を含む、医療記録アクセスウィンドウ１７００を表示させることが出来る。更に、幾つかの実施形態においては、少なくとも１つの医療記録１７３０は、医療記録表示１７１０において閲覧するために、医療記録リスト１７２０から選択されることが出来る。図７に図示されているように、本発明の幾つかの実施形態においては、少なくとも１つの医療記録１７３０は、光学及び／又は蛍光眼底造影画像などの画像又は写真を含むことが出来る。他の実施形態においては、少なくとも１つの医療記録１７３０は、Ｘ線画像を含むことが出来る。幾つかの更なる実施形態においては、少なくとも１つの医療記録１７３０は、ＭＲＩスキャン、又は、任意のレポート、又は、医師によってオーダされた、又は、実行された任意のものを含むことが出来る。幾つかの実施形態においては、少なくとも１つの医療記録１７３０は、ユーザ又は他の医療提供者からの１つ以上の口述されたレターを含むことが出来る。更に、幾つかの実施形態においては、少なくとも１つの医療記録１７３０は、他の医療提供者からのコレポン（文書のやりとり）の記録、又は、任意の部分を含むことが出来る。
【００４３】
本発明の幾つかの実施形態においては、医療サービス追跡システム及び方法は、診断コードにリンクした、又は、関連した基礎の情報にユーザがアクセスすることを可能とすることができる。幾つかの他の実施形態においては、医療サービス追跡システム及び方法は、費用請求コードにリンクした、又は、関連した基礎の情報にユーザがアクセスすることを可能とすることができる。例えば、幾つかの実施形態においては、シングルクリック又はマウスオーバを用いて、ユーザは、医療記録ダッシュボード４００の医療追跡表示ウィンドウ５００を用いて、診断及び／又は費用請求コードに関連した任意の情報にアクセスし、及び、閲覧することが出来る。幾つかの実施形態においては、診断及び／又は費用請求コード情報及び支払い履歴は、個別の文書又はウィンドウで表示されることが出来る。幾つかの他の実施形態においては、診断及び／又は費用請求コード情報は、医療記録ダッシュボード４００上に重ね合わされて（例えば、ポップアップウィンドウ、又は、遷移テキスト及び／もしくはグラフィックスとして）、表示されることが出来る。
【００４４】
幾つかの実施形態においては、少なくとも１つの医療記録１７３０は、ケア文書（以後、「ＣＣＤ」）の推移を含むことが出来る。本発明の幾つかの実施形態においては、医療サービス追跡システム及び方法は、１人以上の医療提供者から、ユーザに表示するために、１つ以上のＣＣＤを受信するように構成されることが出来る。幾つかの実施形態においては、医療サービス追跡システム及び方法は、ユーザに表示するために、ＣＣＤから情報を抽出するように構成されることが出来る。例えば、幾つかの実施形態においては、受信されたＣＣＤからの情報は、医療記録ダッシュボード４００の１つ以上のデータコラムもしくはフィールド、及び／又は、医療記録ダッシュボード４００の１つ以上のリンクされたデータコラムもしくはフィールドを埋めるために抽出され、用いられることが出来る。幾つかの他の実施形態においては、医療サービス追跡システム及び方法は、システム３０によって起動されると、ダイレクトメッセージ情報を受信するように構成されることが出来る。医療サービス追跡システム及び方法は、相互動作のために要求される標準及びプロファイル、及び、他の医療組織と文書ベースの医療情報交換によって構成されることが出来る。これらは、ＩＨＥプロファイル、ＣＤＡ 及びＣＣＤ、ＮｗＨＩＮ  Ｄｉｒｅｃｔ、ＨＬ７ｖ２、ＨＬ７ｖ３、ＤＩＣＯＭ、Ｘ１２、ＩＴＫ（英国）、ＤＭＰ（フランス）、ＮＥＨＴＡ（オーストラリア）などを含むことが出来る。例えば、幾つかの実施形態においては、システム３０は、ＨＬ７メッセージルータ、及び、メッセージ及びデータを転送するためのグラフィカルエディタを含むダイレクトメッセージの交換用のスキーマを含むことが出来る。
【００４５】
本発明の幾つかの実施形態においては、ユーザは、医療診断に関連した情報を取得、及び／又は更新することが出来る。例えば、図８は、本発明の幾つかの実施形態による、医療記録及び診断更新プロセスを図示する。幾つかの実施形態においては、問題ウィンドウ４２５、手術ウィンドウ４５０、要約ウィンドウ４７５、及び医療追跡表示ウィンドウ５００を含む医療記録ダッシュボード４００は、医療記録／診断ウィンドウ１７５０を用いて、少なくとも１つの医療診断をユーザが更新、又は、入力することを可能とするオプションを含むことが出来る。幾つかの実施形態においては、複数の医療診断が、ユーザによって、提供、又は、更新されることが出来る。幾つかの実施形態においては、医療診断を提供するユーザは、患者にサービス又は医療処置を提供する任意の医療実務者とすることが出来る。幾つかの他の実施形態においては、医療記録／診断ウィンドウ１７５０は、患者にサービス又は医療処置を提供する医療実務者以外のユーザによって更新されることが出来る。
【００４６】
幾つかの実施形態においては、医療サービス追跡システム及び方法は、医療追跡表示ウィンドウ５００に表示される情報をユーザが更新することを可能にすることが出来る。例えば、幾つかの実施形態においては、ユーザは、医療診断に関連した情報、及び／又は、医療テストもしくは他のサービスもしくは医療処置に関連した情報を更新することが出来る。例えば、図９は、本発明の幾つかの実施形態による、医療記録更新マーカプロセスを図示する。問題ウィンドウ４２５、手術ウィンドウ４５０、及び要約ウィンドウ４７５を含む医療記録ダッシュボード４００は、ユーザによってアクセスされ、更新マーカ選択タブ１８５０を表示する記録更新マーカ１８００と共に示される。更新マーカ選択タブ１８５０は、ユーザ選択可能なマーカ又はアイコンを含むことが出来る。例えば、幾つかの実施形態においては、更新マーカ選択タブ１８５０は、選択可能な診断インジケータ１８５２、選択可能な診断インジケータ１８５４、及び／又は、選択可能な診断インジケータ１８５６を含むことが出来る。幾つかの実施形態においては、選択可能診断なインジケータ１８５２、１８５４、１８５６は、医療診断、結果、又はテストのグラフィック表示を提供することが出来る。例えば、幾つかの実施形態においては、診断インジケータ１８５２、１８５４、１８８６は、医療的問題、病気もしくは症状の改善、又は、医療的問題、病気もしくは症状の悪化の視覚表現を提供することが出来る。更に、幾つかの実施形態においては、診断インジケータ１８５２、１８５４、１８５６は、安定した、又は、実質的に変化のない、医療的問題、病気、又は症状の視覚表現を提供することが出来る。幾つかの実施形態においては、診断インジケータ１８５２、１８５４、１８５６は、物理的テストの１つ以上の変数に直接関連した視覚表現を提供することが出来る。例えば、眼科領域において、幾つかの画像化テストは、黄斑変性症などの目の病気に関連した網膜の厚さの解析を提供することが出来る。幾つかの実施形態においては、厚さの増加は、状態の悪化を表し、厚さの減少は、改善を表すことが出来る。厚さの安定または厚さに変化のないことは、病気に治療が効いている、又は、病気が軽減していることを示すことが出来る。更に、色変化又は他の方法（例えば、イタリック、ボールドテキスト、及び／又は下線を引いたテキストを用いるなど）を用いて、テストにおいて、特定の重要な変化が、マークされ、医師に、重要なテスト又は医療処置を知らせ、将来の参考のために、ノートを取ることを知らせる内部参照とすることが出来る。更に、幾つかの実施形態においては、診断インジケータ１８５２、１８５４、１８５６は、費用請求された項目、費用請求されていない項目、又は報告又は解釈が必要なテストが必要であることの視覚表現を提供する、色及び／又はグラフィックの変更を含むことが出来る。色変更又は他の方法（例えば、イタリック、ボールドテキスト、及び／又は下線を引いたテキストを用いるなど）は、また、テストもしくは医療処置が、費用請求されたか、拒絶されたか、又は、解釈が必要か、を医師に告げることが出来る。
【００４７】
例示的実施形態として、診断インジケータ１８５２、１８５４、１８５６は、黄斑変性症などの目の病気を有する患者の状態の視覚表現を提供することが出来る。例えば、幾つかの実施形態においては、診断インジケータ１８５２、１８５４、１８５６は、ユーザが状態の悪化（例えば、網膜の厚さが増加する）を示すことを意図する場合、更新マーカ選択タブ１８５０から選択されることが出来る。幾つかの実施形態においては、診断インジケータ１８５２、１８５４、１８５６のいずれも、状態を表すために色コード化されることができ、又は、診断インジケータ１８５０にリンクされた医療状態、テスト、もしくは診断の視覚インジケータを提供することが出来る。例えば、幾つかの実施形態においては、診断インジケータ１８５２は、赤色に色コード化されることができ、診断インジケータ１８５６は、緑色に色コード化されることが出来る。更に、診断インジケータ１８５４は、青色又は黒色に色コード化されることが出来る。幾つかの他の実施形態においては、診断インジケータ１８５２は、緑色に色コード化されることができ、診断インジケータ１８５６は、赤色に色コード化されることが出来る。他の実施形態においては、他のグラフィックマーカもしくはアイコンが用いられることができ、及び／又は、他の色が、診断インジケータ１８５２、１８５４、１８５６を差別化するために用いられることが出来る。更に、幾つかの実施形態においては、診断インジケータ１８５２、１８５４、１８５６間の色の差別化を用いるのに加え、又は、これに代えて、診断インジケータ１８５２、１８５４、１８５６の１つ以上は、フラッシュ又は点滅することが出来る。
【００４８】
幾つかの実施形態においては、医療サービス追跡システム及び方法は、医療追跡表示ウィンドウ５００に表示される情報に、複数の更新をユーザが提供することを可能とすることが出来る。例えば、幾つかの実施形態においては、ユーザは、医療診断に関連した情報、及び／又は、医療テストに関連した情報、又は、他のサービス、もしくは医療処理に関連した情報を更新することができ、続いて、同一の情報又は他の情報に、更なる更新を提供することが出来る。例えば、図１０Ａは、問題ウィンドウ４２５、手術ウィンドウ４５０、要約ウィンドウ４７５、及び医療追跡表示ウィンドウ５００を有する、医療記録ダッシュボード４００を含む、本発明の幾つかの実施形態による、医療記録更新マーカプロセスを図示する。医療追跡表示ウィンドウ５００は、以前に更新された情報を表す、診断インジケータ１８５２ａを図示する。医療追跡表示ウィンドウ５００は、また、診断インジケータ１８５２、診断インジケータ１８５４、又は診断インジケータ１８５６の選択を含む、更新マーカ選択タブ１８５０を用いて、上記したプロセスによる、ユーザ更新情報を図示する。
【００４９】
更に、図１０Ｂは、本発明の幾つかの実施形態による、医療記録更新マーカプロセスを図示する。図１０Ａに示される医療記録更新マーカプロセスに続いて、幾つかの実施形態においては、問題ウィンドウ４２５、手術ウィンドウ４５０、要約ウィンドウ４７５、及び医療追跡表示ウィンドウ５００を有する医療記録ダッシュボード４００を含む、医療記録ダッシュボード４００は、患者及び／又は患者の病気、テスト、又は、医療状態の更新情報又は状態を示す、診断インジケータ１８５２ａ及び診断インジケータ１８５６ａを表示することが出来る。更に、任意のＩＣＤコードが挿入されることが出来る。
【００５０】
図１１は、本発明の幾つかの実施形態による、スクロールされた表示を含む、図４Ａの医療記録ダッシュボード４００の一部を図示する。幾つかの実施形態においては、問題ウィンドウ４２５、手術ウィンドウ４５０、要約ウィンドウ４７５を含む医療記録ダッシュボード４００は、スクロール表示５０５を含む、医療追跡表示ウィンドウ５００を含むことが出来る。幾つかの実施形態においては、医療追跡表示ウィンドウ５００に表示される任意の情報は、ユーザによってスクロールされ、医療追跡表示ウィンドウ５００の見えない部分を画面に持って来ることが出来る。この手順は、記録にある履歴の年数と関係なく、患者の全履歴をユーザが見ることを可能とすることが出来る。
【００５１】
図１２Ａは、本発明の他の実施形態による、医療記録ダッシュボード２０００の一部を図示する。幾つかの実施形態においては、医療記録ダッシュボード２０００は、１つ以上の医療記録からデータを表示することができ、及び／又は、１つ以上の提供された医療処置又はサービスについて、外科医によって行われた請求、又は署名された費用請求に基づいて、医療処置及びサービスを追跡することが出来る。更に、本発明の幾つかの実施形態においては、医療記録ダッシュボード２０００は、選択されたチャートの任意の部分から、外科医によって行われた請求又は署名された費用請求の関数として、自動で埋められることが出来る。この例において、医療記録ダッシュボード２０００内に表示される任意のデータは、患者に以前提供された１つ以上の医療処置又はサービスについて費用請求された１つ以上の請求記録から導出されることが出来る。医療記録ダッシュボード２０００及び／又は以前に記述された医療記録ダッシュボード４００を参照すると、本発明の幾つかの実施形態においては、定義として、外科医によって行われる実際の請求又は署名される費用請求による自動的な埋め込みの発生は、患者の来院後に起こる。幾つかの実施形態においては、医療サービス追跡システム及び方法は、患者が現れたとき、又はそのすぐ後、又は、来院の準備の前においてさえ（つまり、検査結果）、幾つかの情報を自動的に埋め込むことができ、患者が特定の日に現れなかったとしても、ユーザ（例えば、医療提供者）は、情報のテーブルに表示された情報を閲覧することが出来るようにする。例えば、幾つかの実施形態においては、視診に関する情報は、患者が現れたときの現在の日付でなされることが出来る。幾つかの実施形態においては、ユーザ又はユーザの助手は、実行されたとき、又は、その直後（つまり、同一の日に）、医療テスト又はテスト結果（例えば、視診）によって、医療サービス追跡システム及び方法を更新することが出来る。この例において、この情報は、現在の日付にすぐにトリガをかけ、視診コラムを自動的に埋めることが出来る。この情報は、そして、ユーザ及び／又は医療提供者によってすぐに見られることができ、ユーザ及び／又は医療提供者が患者と会うとき、ノート、又は、コメント、又は他の情報によって更新されることが出来る。更に、まだ費用請求していない、任意の診断テスト、又は、診察、又は医療処置について請求が行われた後、日付は、それから、他の関連コラムと共に、将来自動的に埋められるだろう。幾つかの実施形態においては、患者を診察している間、重要な情報及び／又は、追跡するのが重要なあるパラメータは、医療サービス追跡システム及び方法へすぐに更新されることが出来る。この手順を用いると、医療サービス追跡システム及び方法は、医療提供者が、患者の医療履歴、治療履歴を吟味し、患者を診察しているその日に重要な項目をすぐに見ることが出来るようにすることが出来る。例えば、ユーザ及び／又は医療提供者は、患者を診察するその日に、医療サービス追跡システム及び方法によって、視力又は緑内障テーブル、眼内圧、血圧、血糖値などの情報を吟味することを可能とされることが出来る。費用請求が行われたとき、費用請求された請求記録を完了するために更なる情報が書き込まれる。更なる例として、患者が現れて数日経っても、診断テスト及び請求が行われていないことがあるが、医療サービス追跡システム及び方法は、患者は、その日に現れ（例えば、視力、血圧テストなどを受け）たことを示すように構成されることができ、医療サービス追跡システム及び方法は、請求が実際に生成されたときに、あるノートを作成するのを待つのではなく、患者を診たその日又はその前に特定のノートをユーザ（外科医など）が解釈する、及び／又は追加することを可能とすることが出来る。
【００５２】
幾つかの実施形態においては、診療所が結果又はテスト（例えば、病理結果又はテスト）を通信したいと望む場合、実行したことを確認するよう治療室の外科医に警告をするために、点滅するカーソルが現れることができ、または、他のコレポンが、ＥＭＲチャートもしくはテーブルの他の部分に自動的に埋められることが出来る。これは、フローシートが、ＥＭＲの他のセクションと相互作用し、自動的に埋めることを可能とすることが出来る。また、任意の筆記された、もしくは、タイプされたコレポン、又は、音声認識を用いて、口述された情報への任意のリンクは、医療サービス追跡システム及び方法に結合、又は、一体化される。
【００５３】
（例えば、視覚眼内圧又はあらゆる他のものの）提供の日の患者を追うことによって、費用請求されていなくても、同一の日の診断テストをユーザ及び／又は医療提供者が見ることを可能とすることが出来る。更に、この手順は、医療提供者が、オプションとして、（前述したように）ノートを追加することを可能とし、行の最後にフリーハンドタイピングをすることを可能とすることが出来る。
【００５４】
幾つかの実施形態においては、医療サービス追跡システム及び方法内で埋められた医療情報（例えば、患者に実行され、又は、提供された医療サービス、医療処置、又は、テストを表す視覚キュー、アイコン、又はマーカ８８５として示されている）は、赤ドットなどの視覚マーカを含むことができる。幾つかの実施形態においては、医療サービス追跡システム及び方法が、緑ドットを表示できる（つまり、医療サービス追跡システム及び方法が、赤ドットを緑ドットに変換できる）時点で、請求が実際に行われるまで、医療サービス追跡システム及び方法は、赤ドットを表示することが出来る。幾つかの実施形態においては、ドットをクリックすることによって、ユーザが、支払いスクリーンと医療追跡表示ウィンドウ５００、３０００との間をトグルすることが出来る。これは、医療提供者が、患者のケアを改善し、医療追跡表示ウィンドウ５００、３０００内に表示される診断テストの実際の写真を吟味し、他の診断テスト結果を吟味し、及び、他の日に起こった結果と比較することを可能とすることが出来る。幾つかの実施形態においては、任意の時点で、医療提供者は、請求が費用請求された場合に表示にアクセスするためにドットをクリックすることができ、行われた任意の支払いが表示されることが出来る。このプロセスは、医療ミスを減らすことに役立つことができ、費用請求、外科医によって行われた請求又は署名された費用請求及び医療サービス追跡システム及び方法の支払い部分を医療提供者が素早く吟味することを可能とする。更に、この手順は、以前に患者が来院したときに実際に何が起こったかを調べるための、ダブルチェックとして機能することができ、これは、医療ミスを減らし、医療提供者が将来の患者のケアを決定するのを支援するだろう。
【００５５】
幾つかの実施形態においては、医療記録ダッシュボード２０００は、緑内障の患者のケアに関連した、医療処置又はサービスに関する情報を表示することが出来る。幾つかの実施形態においては、医療記録ダッシュボード２０００は、ユーザの嗜好及び／又は、医療記録ダッシュボード２０００とのユーザの現在もしくは以前の相互作用に基づいて、様々なウィンドウ及びサブウィンドウを表示することが出来る。幾つかの実施形態は、問題ウィンドウ２２５０、及び／又は手術ウィンドウ２５００を含む、情報コラム２０５０を含む、医療記録ダッシュボード２０００を含み、患者の医療問題及び手術に関連した情報を表示することが出来る。幾つかの実施形態においては、医療記録ダッシュボード２０００は、患者に関連した要約情報、患者に提供されたケアの任意の詳細、及び／又は、医療実務者によって準備された任意の医療診断情報をユーザが閲覧し、編集することを可能とする要約ウィンドウ２７５０を含むことが出来る。更に、医療記録ダッシュボード２０００は、また、上記した、又は他の方法のように、外科医によって行われた請求又は署名された費用請求によって自動的に埋められた医療処置又はサービスを含む、患者に提供された、任意の医療処置又はサービスに関連した詳細な情報を表示することが出来る。例えば、幾つかの実施形態においては、医療記録ダッシュボード２０００は、複数の情報コラム３００５を含む、医療追跡表示ウィンドウ３０００を表示することが出来る。幾つかの実施形態においては、医療追跡表示ウィンドウ３０００は、医療追跡表示ウィンドウ５００の他の部分を表示するために、ユーザによってスクロールされることが出来る。
【００５６】
幾つかの実施形態においては、医療記録ダッシュボード４００、２０００は、また、上記した、又は他の方法のように、外科医によって行われた請求又は署名された費用請求によって自動的に埋められた医療処置又はサービスを含む、患者に提供された任意の医療処置又はサービスの支払いの通知に関連した詳細な情報を表示することが出来る。更に、医療記録ダッシュボード４００、２０００は、任意の時点で、費用請求及び支払いプロセスの状態にユーザがアクセスし、及び／又は、これを追跡することを可能とすることが出来る。例えば、幾つかの実施形態においては、医療記録ダッシュボード４００、２０００は、任意の患者エンカウンターフォーム（つまり、スーパービル）、精算所に対して行われた任意の請求、精算所から受諾された、もしくは拒絶された費用請求についての任意の更新、保険会社に対して行われた任意の請求、及び／又は、行われた任意の請求について受信された任意の支払いに、アクセスし、及び、これらを閲覧することが出来る。
【００５７】
図１２Ｂは、本発明の幾つかの実施形態による、図１２Ａの医療記録ダッシュボード２０００の一部を図示する。示されるように、問題ウィンドウ２２５０は、入力された、日付コラム２２６０、タイムラインコラム２２７０内の日付及び時間情報、ＩＣＤコード情報のための「ＩＣＤ」コラム２２８０、問題又は病気の位置（右目、左目、両目を特定する「ＯＤ」、「ＯＳ」、「ＯＵ」として示される）（コラム２２９０）、及び、患者の問題又は病気の初診又は最終診断に関連した詳細情報のための診断コラム２３００を含むことが出来る。更に、手術ウィンドウ４５０は、患者に提供されたサービス又は医療処置に関連した情報（医療処置コラム２５２０）、実行されたサービス又は医療処置の説明（説明コラム２５３０）、及び、いつサービス又は医療処置が、患者に提供されたか（タイムラインコラム２３１０として示される）を含むことができ、及び、ユーザによって作成され、閲覧されることが出来る手術報告を含むことが出来る。
【００５８】
医療追跡表示ウィンドウ３０００を参照すると、情報コラム３００５は、日付コラム３０１０、及び、患者に実行された１つ以上の医療処置を詳細に記述する情報へのアクセスを図示し、又は、提供する医療処置コラム３０２０を含むことが出来る。更に、医療処置コラム３０２０は、右及び左目医療処置情報を提供する、「ＯＤ」コラム３０２２、及び「ＯＳ」コラム３０２４を含むことが出来る。幾つかの実施形態においては、医療提供者、医療処置が実行された場所、診療所来院情報に関連した情報は、提供者コラム３０３０、及びユニットコラム３０４０、及び診療所来院コラム３０５０において、ユーザに提供されることが出来る。
【００５９】
本発明の幾つかの実施形態においては、医療追跡表示ウィンドウ３０００は、光干渉断層撮影（「ＯＣＴ」）、又は、蛍光眼底造影法（「ＦＡ」）、及び／又は、インドシアニン・グリーンじゅう毛膜血管造影法（「ＩＣＧ」）などの１つ以上の医療画像化手順を含むが、これらには限定されない、患者へ実行されたテスト及び医療処置に関連した情報をユーザが閲覧することを可能とすることが出来る。幾つかの実施形態においては、費用請求され、請求された（上記医療画像化手順のうちの任意のものを含む）実行された医療処置は、「ＯＣＴ」コラム３０６０（「ＯＤ」コラム３０６２、及び「ＯＳ」コラム３０６４として、分割して示されている）、「Ａｎｔ  Ｓｅｇ  ＯＣＴ」コラム３０７０（「ＯＤ」コラム３０７２及び「ＯＳ」コラム３０７４として分割されている）のうちの任意のコラム内において、ユーザによって、閲覧され、又は、アクセスされることが出来る。
【００６０】
幾つかの実施形態においては、視覚機能テストが実行される場合、情報は、「ＶＦ」コラム３０８０（「ＯＤ」コラム３０８２及び／又は「ＯＳ」コラム３０８４を含む）において閲覧され、又は、アクセスされることが出来る。幾つかの実施形態は、目の光学及び／又は自家蛍光画像（「ＯＤ」コラム３０９２及び「ＯＳ」コラム３０９４）を含む、患者の目の任意の写真画像にユーザがアクセスすることを可能とするように構成された写真コラム３０９０を含む。更に、幾つかの実施形態は、膨張（ｄｉｌａｔｅｄ ）眼底検査に関連した隅角鏡（ｇｏｎｉｏｓｃｏｐｙ）データ及び／又は情報（「ＤＦＥ」コラム３１１０）へのアクセスを提供するＧｏｎｉｏコラム３１００を含む。幾つかの実施形態においては、手術ウィンドウ２５００は、（図１２Ｃに示されるように）位置コラム２５４０、手術コラム２５５０、及びコメントコラム２５６０を含むことが出来る。
【００６１】
本発明の幾つかの実施形態においては、医療追跡表示ウィンドウ３０００は、緑内障の進行を調べるための陥凹／乳頭径比（「Ｃ／Ｄ」）、角膜厚測定データ（「Ｐａｃｈｙ」）、最高矯正視力（「ＢＣＶＡ」）などの屈折テスト情報、及び／又は、眼内圧（ＩＯＰ）データを含む、患者に実行されたテスト及び医療処置に関連する情報をユーザが閲覧することを可能とすることが出来る。例えば、図１２Ｃは、本発明の幾つかの実施形態による、図１２Ａの医療記録ダッシュボードの一部を図示し、方法コラム３１２０、「Ｃ／Ｄ比」コラム３１３０、「Ｐａｃｈｙ」コラム３１６０、「ＢｃＶＡ」コラム３１７０、及び「ＩＯＰ」コラム３１８０を示す。幾つかの実施形態においては、「Ｃ／Ｄ比」コラム３１３０は、「Ｖ」コラム３１３５、「Ｈ」コラム３１４０、「Ｖ」コラム３１５０、及び「Ｈ」コラム３１５０を含む。更に、幾つかの実施形態においては、「Ｐａｃｈｙ」コラム３１６０は、「ＯＤ」コラム３１６２、及び「ＯＳ」コラム３１６４を含む。幾つかの実施形態においては、「ＢｃＶＡ」コラム３１７０は、「ＯＤ」コラム３１７２、及び「ＯＳ」コラム３１７４を含む。幾つかの実施形態は、「ＯＤ」コラム３１８２、及び「ＯＳ」コラム３１８４を含む、「ＩＯＰ」コラム３１８０を含む。幾つかの実施形態においては、他のコラム３１９０は、追加のテスト情報を追加するために使用されることが出来る。更に、医療追跡表示ウィンドウ３０００は、また、テスト及び医療診断に関連したノートにアクセスし、更新するためのノートコラム３１９５を含むことが出来る。幾つかの実施形態においては、追跡表示ウィンドウ３０００は、追跡表示ウィンドウ４００について前述したように、コメント及びノートによって更新されることが出来る。
【００６２】
本発明の幾つかの実施形態においては、医療サービス追跡システム及び方法は、２以上の患者情報によって、医療記録ダッシュボード４００及び／又は医療記録ダッシュボード２０００を表示し、及び、自動的に埋めることが出来る。例えば、幾つかの実施形態においては、医療記録ダッシュボード４００、２０００のうちの任意のウィンドウ、セクション、又はコラムは、複数の患者に関連した情報を表示することが出来る。
【００６３】
更に、本発明の幾つかの実施形態においては、医療サービス追跡システム及び方法によって表示される任意の情報は、特定の期間に現れた患者の関数として、医療記録ダッシュボード４００及び／又は医療記録ダッシュボード２０００を表示し、これを自動的に埋めることが出来る。本発明の幾つかの他の実施形態においては、医療サービス追跡システム及び方法は、指定された病気及び／又は診断の関数として、医療記録ダッシュボード４００及び／又は医療記録ダッシュボード２０００を表示し、自動的に埋めることが出来る。例えば、幾つかの実施形態においては、医療サービス追跡システム及び方法は、外科医又は他の医療実務者又は提供者から受信した入力から、ＣＰＴコード又はＩＣＤコードの関数として、医療記録ダッシュボード４００及び／又は医療記録ダッシュボード２０００を表示し、自動的に埋めることが出来る。例えば、糖尿病と診断されたすべての患者は、その名前と最後に来院した日付が自動的に埋められる。この状態のすべての患者から、ユーザによって追跡される必要のある、あるパラメータは、自動的に埋められることが出来る。例えば、糖尿病を有する患者の場合、パラメータは、どの程度の頻度で来院しなかったか、血糖値、ヘモグロビンＡ−１Ｃ、投薬、心臓発作、脳卒中、切断、失明などの主な新規の医療問題を含むことができ、これらの夫々は、すべての患者がどのようにしているかをユーザが見ることを可能とするために、自動的に埋められ、及び、追跡されることが出来る。幾つかの実施形態においては、ユーザは、また、診察したすべての患者の日誌レポート、診断コードはどれか、及び、どのＣＰＴ、ＩＣＤ、又は診療所来院費用請求コードがなされたか、を受信することが出来る。幾つかの実施形態においては、任意の報告又は診断テストは、患者のポータルへ、電子メールサーバへ、及び／又はファックスとして、送信されることが出来る。更に、ユーザは、請求が発行され、支払いが実際に行われたとき、警告されることが出来る。例えば、幾つかの実施形態においては、上記の表示方法は、任意の特定の日、週、又は月に来院した各患者について請求が行われた場合、ユーザへの支払いを決定するための機構を提供することが出来る。
【００６４】
患者によって検索され、見ることの出来る表示されたデータ、罹患期間、外科医などの上記例の例が、図１２Ｄ及び１２Ｅに示される。例えば、図１２Ｄは、本発明の幾つかの実施形態による、病気又は患者の関数として表示するための医療記録ダッシュボード３２００の一部を図示する。更に、図１２Ｅは、本発明の幾つかの実施形態による、患者、又は、外科医、又は、病気の状態の関数として表示するための医療記録ダッシュボード３６００の一部を図示する。幾つかの実施形態において、医療記録ダッシュボード３２００、３６００は、医療記録ダッシュボード４００、２０００などの以前に閲覧されたダッシュボード上に重ね合わされて表示されることが出来る。例えば、幾つかの実施形態においては、医療記録ダッシュボード３２００、３６００は、医療追跡表示ウィンドウ５００において表示されることが出来る。他の実施形態においては、医療記録ダッシュボード３２００、３６００は、医療記録ダッシュボード４００、２０００とは独立して表示されることができ、ユーザは、任意の医療記録ダッシュボード４００、２０００、３２００、３６００の表示をトグルすることが出来る。
【００６５】
コラム３２１０内の患者のリスト３２０５を提供することを含む図１２Ｄを参照すると、日付によってリストアップされる患者の一日が提供されることができ、又は、リストは、複数の来院のある単一の患者を含むことが出来る。コラム３２２０内に、診療所来院、及び、定期検査日について費用請求された任意の項目、及び、その日に費用請求された任意の他のＣＰＴコードが表示されることが出来る。幾つかの専門医（例えば、眼科医）は、診療所の来院の間多くのＣＰＴコードを有するだろうが、一方、他者（例えば、胃腸科医）は、診療所来院の間、４つを有するだろう。コラム３２３０は、外科医が実行することが出来る医療処置を含むことができ、通常、診察とは同一日ではない（これらは、ＧＩ医師の例）。コラム３２４０は、特定の患者について追跡することが出来る、様々な重要なパラメータを含むことが出来る。コラム３２５０は、医師が患者のケアの問題についてノートを書くときに含まれる。コラム３２６０は、ユーザを、その患者の個人ＥＭＲに連れて行き、又はテーブルを吟味し、また、患者にメッセージを送ることが出来る。コラム３２７０は、外科医を患者の支払い履歴に連れて行き、また、メッセージは、このテーブルから費用請求部門に送信されることが出来る。幾つかの実施形態において、コラム３２２０、３２３０は、請求が行われるとき、「黒」に色づけされることができ、支払いが行われた場合、「緑」に色づけされることができ、支払いが継続中の場合、「黄色」に色づけされることができ、支払いが一回拒否された場合、「赤」に色づけされることが出来る。
【００６６】
糖尿病を患っている患者に関する例示的実施形態を含む図１２Ｅを参照すると、患者３６１０についての表示は、様々な医療、費用請求、保険関係情報を含むことが出来る。この医療記録ダッシュボード３６００は、示されたように表示されることができ、又は、データコラムのうちの任意のコラムに基づいて、ソートされることが出来る。例えば、患者３６１０は、保険の保護範囲を表示する情報３６２０、糖尿病の診断の日付３６３０、患者の年齢３６４０、患者の体重３６５０、患者の身長３６６０、肥満度指数３６７０、最初のＨｂｇＡ１Ｃ３６８０、最近のＨｂｇＡ１Ｃ３６９０、高血圧状態３６９２、最近の血圧３６９４、すべてのＩＣＤ診断３６９６及び現在又は過去の投薬３６９８を含んで、示されることが出来る。幾つかの実施形態においては、医療記録ダッシュボード３６００は、コラム３６２０、３６３０、３６４０、３６５０、３６６０、３６７０、３６８０、３６９０、３６９２、３６９４、３６９６、３６９８のうちの任意のコラムによってソートされた患者３６１０を示すように再構成されることが出来る。
【００６７】
本発明の幾つかの実施形態においては、医療サービス追跡システム及び方法は、進行が変化したための結果を追跡するために、次に治療する外科医又は患者にマークがカスタマイズされるように、医療記録ダッシュボード４００及び／又は医療記録ダッシュボード２０００をユーザが更新することを可能とすることが出来る。これは、ケアの質にアクセスし、解決策の有効性と結果を証明するために用いられるだろうし、保険会社と、又は性能研究のために交渉するために用いられることが出来る。例えば、任意のものが、追跡され、進行、変化、及び結果を追跡するために、治療外科医又は患者のニーズに対してカスタマイズされることが出来る。これは、ケアの質を調べ、治療の有効性と結果を証明するために用いられることが出来る。質の結果の測度は、これが患者のケアを改善するので、追跡を始めることはすべての実践に重要であり、将来、保険会社からの、外科医の金銭的補償又はあらゆるカスタマイズが、ケア計量の質に基づいて決定されるだろう。更に、臨床研究に参加する外科医は、調べられる特定の薬物又は装置又は他のアイテムが、実際に、特定のパラメータの変化を改善するか、又は悪化するか否かを知るために、時間と共に規定されたパラメータを追跡しなければならない。図４Ｃの例によると、１１００個の視診が追跡され、他のコラム１２００、時間と共に変化するだろう多くの異なるパラメータが追加されることができる。例えば、臨床研究への参加について前記したように、中心黄斑厚み（ｃｅｎｔｒａｌ  ｍａｃｕｌａｒ  ｔｈｉｃｋｎｅｓｓ ）（「ＣＭＴ」）、又は虚血性インデックス（ｉｓｃｈｅｍｉｃ  ｉｎｄｅｘ ）（「ＩＳＩ」）（％及びミリメータでのＡスキャン）などの追跡される他の因子が追跡されることが出来る。従って、患者が診察のために来院するたびに、テーブルは、患者を治療することと、診療所来院による研究データをテーブルに入力することとの複数の目的を果たすことが出来る。これは、それから、ＥＭＲの他の部分に自動的に埋められ、これらの数値を導出し、これらを、リサーチエクセルスプレッドシートに配置することが出来る。また、エクセルリサーチスプレッドシートは、また、リビューテーブルに入力されたデータを有することが出来る他の方法もある。
【００６８】
本発明の幾つかの実施形態においては、医療サービス追跡システム及び方法は、医療記録ダッシュボード４００及び／又は医療記録ダッシュボード２０００に入力された、又は、自動的に埋められた任意の情報又はデータの日付警告又は自己破壊を可能とすることが出来る。例えば、幾つかの実施形態においては、任意のメッセージ、又はノート、又は要約、又は任意の医療データは、医療記録ダッシュボード４００及び／又は、医療記録ダッシュボード２０００からの情報を医療サービス追跡システム及び方法に除去及び／又は消去することを命令することが出来る、日付警告及び／又は自己破壊機能を含むことが出来る。他の実施形態においては、履歴的日付及び／又は警告又はワーニングは、患者の来院もしくは診察の前、間、又は後に吟味される任意のデータに対する関連性の割り当てについて、ユーザを支援する、任意の自動で埋められる、又は、ユーザ呼び出し情報を提供されることが出来る。幾つかの実施形態においては、このフィーチャは、ユーザによって提供されるケアの標準を最適化することが出来る。例えば、このフィーチャは、好適な実践パターンを監視するのに役立ち、臨床総説に必要な情報のリマインダとして機能することができる。
【００６９】
図１３は、本発明の幾つかの実施形態による、医療サービス追跡システム及び方法のコンポーネントを動作させ、処理するように構成されたコンピュータシステム３０を図示する。幾つかの実施形態においては、コンピュータシステム３０は、上記医療サービス追跡システム及び方法の１つ以上のソフトウェアモジュールを処理することができ、少なくとも１つのグラフィカルユーザインタフェース内の医療サービスに関する情報を表示することが出来る。更に、幾つかの実施形態においては、コンピュータシステム３０を用いて、医療サービス追跡システム及び方法は、データの構造と、医療サービス追跡システム及び方法の様々なコンポーネント間のデータフローを管理することが出来る。例えば、幾つかの実施形態においては、コンピュータシステム３０は、医療記録ダッシュボード４００及び／又は医療記録ダッシュボード２０００を処理し、表示するように構成されることが出来る。更に、幾つかの実施形態においては、コンピュータシステム３０は、医療追跡表示ウィンドウ５００及び／又は医療追跡表示ウィンドウ３０００には限定されないが、これらを含む、医療記録ダッシュボード４００、２０００の任意の一部内で、自動的に埋められたデータを処理し、表示するように構成されることが出来る。
【００７０】
幾つかの実施形態においては、システム３０は、１つ以上のプロセッサ３２を含む、少なくとも１つのコンピューティングデバイスを含むことが出来る。幾つかのプロセッサ３２は、１つ以上の従来のサーバプラットフォーム内に存在するプロセッサ３２を含むことが出来る。システム３０は、少なくとも１つのオペレーティングシステム３４を走らせることが出来る少なくとも１つのプロセッサ３２に結合されたネットワークインタフェース３５ａ及びアプリケーションインタフェース３５ｂを含むことが出来る。更に、システム３０は、１つ以上のソフトウェアモジュール（例えば、企業アプリケーション３８）を走らせることが出来る少なくとも１つのプロセッサ３２に結合されたネットワークインタフェース３５ａ及びアプリケーションインタフェース３５ｂを含むことが出来る。本発明の幾つかの実施形態は、また、これらの動作を実行するためのデバイス又は装置に関する。装置は、専用コンピュータなど、必要な目的用に特別に構成されることが出来る。特別な目的のコンピュータとして規定されるとき、コンピュータは、また、特別な目的の一部でない他の処理、プログラム実行又はルーチンを実行することが出来るが、特別の目的のために動作することも依然可能である。あるいは、動作は、コンピュータメモリ、キャッシュに格納された、又はネットワークを介して取得された１つ以上のコンピュータプログラムによって選択的に起動される、又は構成される、汎用コンピュータによって処理されることが出来る。ネットワークを介してデータが取得されるとき、そのデータは、例えば、コンピューティングリソースのクラウドなど、ネットワーク上の他のコンピュータによって処理されることができる。
【００７１】
上記実施形態を心に留めると、本発明は、コンピュータシステムに格納される医療サービス追跡データを含む様々なコンピュータ実装動作を用いることが出来ることを理解されたい。更に、医療サービス追跡に渡る上記データベース及びモデルは、システム３０内のコンピュータ可読記録媒体上、及びシステム３０に結合されるコンピュータ可読記録媒体上に、解析モデル及び他のデータを格納することが出来る。更に、医療サービス追跡システムの上記アプリケーションは、システム３０内のコンピュータ可読記録媒体上、及び、システム３０に結合されたコンピュータ可読記録媒体上に格納されることが出来る。これらの動作は、物理量の物理的操作を要求するものである。通常、必ずしもそうではないが、これらの量は、格納され、転送され、組合され、比較され、または操作されることが出来る、電気、電磁気、又は磁気信号の形態、光又は磁気光学の形態を取ることが出来る。
【００７２】
幾つかの実施形態は、少なくとも１つのデータ記録デバイス３７ｂ、及び／又は、少なくとも１つのデータソース、及び／又は、少なくとも１つの入出力デバイス３７ｃに結合された、少なくとも１つのコンピュータ可読媒体３６を含むシステム３０を含む。幾つかの実施形態において、医療サービス追跡システムによって実装される本発明は、また、コンピュータ可読媒体３６上のコンピュータ可読コードとして実装されることが出来る。コンピュータ可読媒体３６は、データを格納することができ、その後、コンピュータシステム（システム３０など）によって読み取られることが出来る、任意のデータ格納デバイスとすることが出来る。コンピュータ可読媒体３６の例は、ハードドライブ、ネットワークアタッチトストレージ（ｎｅｔｗｏｒｋ  ａｔｔａｃｈｅｄ  ｓｔｏｒａｇｅ）（ＮＡＳ）、リードオンリーメモリ、ランダムアクセスメモリ、フラッシュベースのメモリ、ＣＤ−ＲＯＭ、ＣＤ−Ｒ、ＣＤ−ＲＷ、ＤＶＤ、磁気テープ、他の光及び非光データストレージデバイス、又は、所望の情報もしくはデータもしくは命令を有形に格納するのに用いられることができ、コンピュータもしくはプロセッサ（プロセッサ３２を含む）によってアクセスされることが出来る任意の他の物理的もしくは物質媒体を含むことが出来る。
【００７３】
本発明の幾つかの実施形態においては、コンピュータ可読媒体３６は、また、ネットワークインタフェース３５ａを介して、従来のコンピュータネットワークにわたって分散されることができ、コンピュータ可読コードによって実装される医療サービス追跡システムを格納し、分散された形態で、実行されることが出来るようにする。例えば、幾つかの実施形態においては、システム３０の１つ以上のコンポーネントは、ローカルエリアネットワーク（「ＬＡＮ」）３９ａを介して、データを送信、及び／又は、受信するために接続されることが出来る。幾つかの更なる実施形態においては、システム３０の１つ以上のコンポーネントは、インターネット３９ｂ（例えば、無線インターネット）を介して、データを送信又は受信するように接続されることが出来る。幾つかの実施形態においては、１つ以上のプロセッサ３２上で走る少なくとも１つのソフトウェアアプリケーション３８は、ネットワーク３９ａ、３９ｂを介しての通信のために結合されるように構成されることが出来る。幾つかの実施形態においては、ネットワーク３９ａ、３９ｂの１つ以上のコンポーネントは、情報を格納するための媒体３６を超えたコンピュータ可読媒体の任意の他の形態を含み、及び、１つの電子デバイスから他の電子デバイスへと情報を通信するための、コンピュータ可読媒体の任意の形態を含む、データストレージのための１つ以上のリソースを含むことが出来る。
【００７４】
幾つかの実施形態においては、ネットワーク３９ａ、３９ｂは、ワイドエリアネットワーク（「ＷＡＮ」）、直接接続（例えば、ユニバーサルシリアルバスポートを介して）、又は、コンピュータ可読媒体３６の他の形態又は任意のそれらの組み合わせを含むことが出来る。更に、幾つかの実施形態においては、ネットワーク３９ａ、３９ｂの１つ以上のコンポーネントは、例えば、デスクトップコンピュータ４０ｄ、ラップトップコンピュータ４０ａ、４０ｅ、デジタルアシスタント及び／又はパーソナルデジタルアシスタント（４０ｃとして示されている）、セルフォン又は携帯電話又はスマートフォン（４０ｂとして示される）、ページャ、デジタルタブレット、インターネット装置、及び他のプロセッサベースのデバイスを含む、パーソナルコンピュータ４０とすることが出来る多くのクライアントデバイスを含むことが出来る。一般に、クライアントデバイスは、マウス、ＣＤ−ＲＯＭ、ＤＶＤ、キーボード、ディスプレイ、又は他の入力もしくは出力デバイス３７ｃなどの外部、又は、内部デバイスの任意の種類とすることが出来る。幾つかの実施形態においては、コンピュータ可読媒体３６の様々な他の形態は、コンピュータ４０に命令を送信、又は、伝送することができ、これは、ルータ、プライベートもしくは公衆ネットワーク、又は、有線及び無線の両方の、他の伝送デバイスもしくはチャネルを含む。ソフトウェアモジュール３８は、データベースから（例えば、データソース３７ａを含む、コンピュータ可読媒体３６及びデータベースを含むことが出来るデータストレージ３７ｂから）データを送信及び受信するように構成されることができ、データは、少なくとも１つの他のソースからソフトウェアモジュール３８によって受信されることが出来る。例えば、前述したように、本発明の幾つかの実施形態においては、システム３０を用いて、医療サービス追跡システム及び方法は、ユーザ３１に表示するために、１つ以上の医療提供者から１つ以上のＣＣＤを受信するように構成されることが出来る。更に、幾つかの実施形態において、患者データは、１つ以上のマスター患者インデックスデータベース（例えば、政府、及び／又は、保険会社もしくは保険会社の集合などの第三者プロバイダによって管理されるマスター患者データベース）から、取得されることが出来る。幾つかの更なる実施形態においては、データは、薬物及び薬品の国内登録から取得されることが出来る。
【００７５】
幾つかの実施形態においては、ソフトウェアモジュール３８の少なくとも１つは、（例えば、デジタルディスプレイを含むコンピュータ４０に対して、など）少なくとも１つのデジタルディスプレイを介して、少なくとも１人のユーザ３１へ、データを出力するために、システム３０内に構成されることが出来る。幾つかの実施形態においては、記述したシステム３０は、システム３０上で走る１つ以上の企業アプリケーション３８へ、及び、１つ以上の企業アプリケーション３８からを含む、システム３０へ、及び、システム３０から、データを１人以上のユーザ３１が受信し、解析し、入力し、改変し、生成し、送信することを可能とすることが出来る。幾つかの実施形態は、ＬＡＮ３９ａを通じて、静的Ｉ／Ｏデバイス３７ｃを介して、少なくとも１つの企業アプリケーション３８を含む、医療サービス追跡システムの１つ以上のモジュールにアクセスするコンピュータ４０に結合される、少なくとも一人のユーザ３１を含む。幾つかの他の実施形態においては、システム３０は、インターネット３９ａを介して、静的又は携帯Ｉ／Ｏデバイス３７ｃを用いて、企業アプリケーション３８に少なくとも一人のユーザ３１が（コンピュータ４０を介して）アクセスすることを可能とすることができる。
【００７６】
幾つかの実施形態においては、ソフトウェアモジュール３８は、少なくとも一人のユーザ３１のアカウントと、少なくとも一人の患者のアカウント又は記録を提供するのに適した医療サービス追跡ソフトウェアモジュールを含むことが出来る、サーバベースのソフトウェアプラットフォームを含むことが出来る。更に、本発明の幾つかの実施形態は、少なくとも一つの患者のアカウント又は記録を提供するのに適した医療サービス追跡ソフトウェアモジュールを含むことが出来る、少なくとも１つのサーバベースのソフトウェアプラットフォームを含むことが出来る、ソフトウェアモジュール３８を含む。幾つかの実施形態においては、システム３０を用いて、医療サービス追跡システム及び方法は、複数のユーザアカウント及び／又は複数の患者アカウントを管理することが出来る。幾つかの実施形態においては、ソフトウェアモジュール３８は、複数の医療実務者（例えば、医師、外科医、執刀医、視力測定医、眼科医、足病医、歯科医など）によってアクセス可能な複数のユーザアカウントを提供するのに適した医療サービス追跡ソフトウェアモジュールを含むことが出来る、サーバベースのソフトウェアプラットフォームを含むことが出来る。本発明の幾つかの実施形態においては、患者アカウントは、患者の医療実務者によってアクセス可能とすることができ、医療サービス追跡システム及び方法内で、１つ以上のユーザアカウントを保持する他の医療実務者には共有されないようにすることが出来る。幾つかの更なる実施形態においては、１つ以上の患者アカウントは、患者アカウントに関連したユーザ３１によってアクセス可能で、共有されることが出来る。例えば、幾つかの実施形態においては、ユーザ３１は、医療サービス追跡システム及び方法の少なくとも一人の他のユーザにアクセスが許可されることが出来る。幾つかの実施形態においては、共有アクセスは、少なくとも部分的に制限されることが出来る。例えば、幾つかの実施形態においては、共有アクセスは、共有された患者のアカウント又は記録の少なくとも一部を閲覧することに制限されることが出来る。
【００７７】
本発明の一部を形成する、ここに記述した動作のうちの任意の動作は、有用なマシン動作である。本発明は、また、これらの動作を実行するデバイス又は装置に関する。装置は、専用コンピュータのように、要求される目的用に特別に構成されることが出来る。専用コンピュータとして規定されるとき、コンピュータは、また、特別な目的の一部ではない、他の処理、プログラム実行、又はルーチンを実行することが出来るが、特別な目的のために動作することも依然可能である。あるいは、動作は、コンピュータメモリ、キャッシュに格納された、又は、ネットワークを介して取得された１つ以上のコンピュータプログラムによって選択的に起動される、又は構成される汎用コンピュータによって処理されることが出来る。データが、ネットワークを介して取得される場合、そのデータは、例えば、コンピューティングリソースのクラウドなど、ネットワーク上の他のコンピュータによって処理されることが出来る。
【００７８】
本発明の実施形態は、また、一つの状態から他の状態へデータを変換するマシンとして規定されることが出来る。データは、電気信号及び電気的に操作されるデータとして表されることが出来る態様を表すことが出来る。変換されたデータは、幾つかの場合には、データの変換の結果となる物理オブジェクトを表し、ディスプレイ上に視覚的に図示されることが出来る。変換されたデータは、一般にストレージに、又は、物理的及び有形なオブジェクトの構成又は図示を可能とする特定のフォーマットで、保存されることが出来る。幾つかの実施形態においては、操作は、プロセッサによって実行されることが出来る。そのような例においては、プロセッサは、従って、１つのものから他のものへデータを変換する。更には、この方法は、ネットワークに接続されることが出来る、１つ以上のマシン又はプロセッサによって処理されることが出来る。各マシンは、一つの状態もしくはものから他へデータを変換することができ、また、データを処理し、データをストレージに保存し、ネットワークを介してデータを送信し、結果を表示し、又は、結果を他のマシンに通信することが出来る。ここに用いられるように、コンピュータ可読記録媒体は、（信号とは対照的に）物理的又は有形なストレージを指し、限定することなく、コンピュータ可読命令、データ構造、プログラムモジュール、又は、他のデータなどの情報の有形なストレージのための任意の方法又は技術において実装される揮発性及び不揮発性、取り外し可能な、及び、固定の記録媒体を含む。
【００７９】
方法動作は、特定の順番で記述されることが出来るが、他のハウスキーピング操作は、動作の間に実行されることができ、又は、動作は、わずかに異なる時間に発生するように調整されることができ、又は、重なる動作が望ましい方法で実行される限り、処理に関連した様々な間隔で、処理動作が発生することを可能とするシステムに分散されることが出来ることは理解されるべきである。
【００８０】
本発明は、特定の実施形態及び例に関連して上記されたが、本発明は、これに必ずしも限定されず、数々の他の実施形態、例、使用、改変、ならびに、実施形態、例、及び使用からの逸脱は、添付の請求項によって含まれることが意図されることは、当業者によって理解されるだろう。本発明の様々なフィーチャ及び利点は、以下の請求項に述べられる。
【図１】
2017510015.tif 000003
【図３】
2017510015.tif 000004
【図６】
2017510015.tif 000005
【図７】
2017510015.tif 000006
【図８】
2017510015.tif 000007
【図９】
2017510015.tif 000008
【図１０Ａ】
2017510015.tif 000009
【図１０Ｂ】
2017510015.tif 000010
【図１１】
2017510015.tif 000011
【図１２Ａ】
2017510015.tif 000012
【図１２Ｂ】
2017510015.tif 000013
【図１２Ｃ】
2017510015.tif 000014
【図１２Ｄ】
2017510015.tif 000015
【図１２Ｅ】
2017510015.tif 000016
【図２】
2017510015.tif 000017
【図４Ａ】
2017510015.tif 000018
【図４Ｂ】
2017510015.tif 000019
【図４Ｃ】
2017510015.tif 000020
【図４Ｄ】
2017510015.tif 000021
【図５Ａ】
2017510015.tif 000022
【図５Ｂ】
2017510015.tif 000023
【図１３】
2017510015.tif 000024
【国際調査報告】
2017510015.tif 000025
2017510015.tif 000026